(57)【特許請求の範囲】
【請求項１】
固体布地柔軟性付与成分の製造方法であって、
最初に、クレーおよび凝集剤を混合して緊密な混合物を形成する工程と、続いて
前記緊密な混合物を界面活性剤系およびキャリヤー材料と混合する工程を含んでなるものであり、
前記固体布地柔軟性付与成分が、
ａ）クレーと、
ｂ）少なくとも５％の界面活性剤系と、
ｃ）少なくとも１５重量％の固体キャリヤー材料と、
ｄ）凝集剤とを含んでなるものである、製造方法。
【請求項２】
前記クレーおよび凝集剤が互いに緊密に混合されてなるものである、請求項１に記載の製造方法。
【請求項３】
前記クレーと、前記凝集剤と、前記界面活性剤系および前記キャリヤー材料が互いに緊密に混合されてなるものである、請求項１又は２に記載の製造方法。
【請求項４】
前記キャリヤー材料が、アルミノケイ酸塩ビルダーおよび／またはリン酸塩ビルダーを含んでなり、
前記アルミノケイ酸塩ビルダーおよび／またはリン酸塩ビルダーが、前記固体布地柔軟性付与成分の１５〜６０重量％の量で存在する 、請求項１〜３の何れか一項に記載の製造方法。
【請求項５】
前記キャリヤー材料が無機炭酸塩を含んでなり、
前記無機炭酸塩が、前記固体布地柔軟性付与成分の１０〜６０重量％の量で存在する、請求項１〜４の何れか一項に記載の製造方法。
【請求項６】
前記界面活性剤系が、１０〜７０重量％の量で存在し、少なくとも陰イオン系スルホネート界面活性剤または陰イオン系サルフェート界面活性剤を含んでなる、請求項１〜５の何れか一項に記載の製造方法。
【請求項７】
前記非イオン系界面活性剤系が、少なくとも１種のアルコキシル化アルコール界面活性剤、少なくとも２種類のアルコキシル化アルコール界面活性剤を含んでなる、請求項１〜６の何れか一項に記載の製造方法。
【請求項８】
前記凝集剤が、平均分子量１５０，０００〜３，０００，０００のポリエチレンオキシドを含んでなる、請求項１〜７の何れか一項に記載の製造方法。
【請求項９】
前記クレーが５〜６０重量％の量で存在してなる、請求項１〜８の何れか一項に記載の製造方法。
【請求項１０】
前記固体布地柔軟性付与成分が、少なくとも０．１重量％のブライトナーを含んでなる、請求項１〜９の何れか一項に記載の製造方法。
【請求項１１】
前記固体布地柔軟性付与成分が、噴霧乾燥された粒子、凝集物または押出物の形態にある、請求項１〜１０の何れか一項に記載の製造方法。
【請求項１２】
前記固体布地柔軟性付与成分が、少なくとも５重量％の水を含んでなる、請求項１〜１１の何れか一項に記載の製造方法。
【請求項１３】
前記固体布地柔軟性付与成分が、汚れ遊離重合体、セルロース系重合体、染料移動防止剤、陽イオン系柔軟性付与剤、またはそれらの混合物を含んでなる群から選択された布地保護剤を含んでなる、請求項１〜１２の何れか一項に記載の製造方法。
【請求項１４】
前記固体布地柔軟性付与成分が、炭酸塩および水で膨潤し得る崩壊剤または炭酸塩と反応して泡沸性を発揮し得る酸性化合物、またはそれらの混合物を含んでなる、請求項１〜１３の何れか一項に記載の製造方法。
【請求項１５】
前記固体布地柔軟性付与成分が、クレーの混合物を含んでなる、請求項１〜１４の何れか一項に記載の製造方法。
【発明の詳細な説明】
【０００１】
技術分野
本発明は、クレーおよび凝集物、界面活性剤系およびキャリヤー材料を含んでなる、布地用の柔軟性付与剤として使用する柔軟性付与成分に関する。この成分は洗剤組成物にも使用できる。
【０００２】
発明の背景
クレーは、組成物で洗濯した布地に柔軟性を付与するために以前から使用されている。クレーは、他の洗剤顆粒に乾燥添加できるか、または他の成分と混合し得る材料として記載されている。ヨーロッパ特許第ＥＰ−Ａ−３１３１４６号明細書は、洗剤組成物に加える、クレー６０％〜９９％および湿潤剤のクレー粒子を開示している。
【０００３】
クレー凝集剤は、クレーの布地に対する付着性を改良することが以前から知られている。ヨーロッパ特許第ＥＰ−Ａ−３１３１４６号明細書は、クレー粒子を含む洗剤が好ましくはクレー凝集剤を含んでなることを開示している。
【０００４】
ここで本発明者は、クレーおよび凝集剤が互いに緊密な混合物として存在する場合に、クレーの付着効率が高くなることを見いだした。これによって、クレーの付着効率が改善されるのみならず、クレーの量を少なくしても同じ柔軟性性能が得られる。
【０００５】
緊密な混合物の使用によりクレーの付着性が強化されるが、洗濯の際に凝集性のクレーを効率的に配分することも重要であることが分かった。本発明者は、クレーと凝集剤の混合物を界面活性剤と混合することにより、これが達成されることを発見した。しかし、粉末化した、または顆粒状のキャリヤー材料を、クレー、凝集剤および界面活性剤と混合した場合に、付着性がさらに改良されることも分かった。さらに、界面活性剤の使用により、クレーと凝集剤が容易に混合される一方、キャリヤー材料により、粘着性が無く、取り扱い易く、その必要とされる形態に容易に加工できる混合物を形成することができる。この形態で混合物は貯蔵安定性がより高くなり、このことは、直ちにさらに処理する必要が無く、最終的に使用するまで貯蔵しておくことができるので、有利である。
【０００６】
多目的柔軟性付与成分が得られるので、キャリヤー材料がアルカリ度供給源および／またはビルダーを含んでなることが非常に好ましい。その様な成分は、洗剤組成物の成分として、布地柔軟性付与剤成分として、あるいは洗濯および柔軟性付与成分自体として、特に手作業洗濯または少量洗濯または汚れのひどくない洗濯物の洗濯を包含する幾つかの用途で有用である。
【０００７】
発明の概要
本発明は、
ａ）クレー、
ｂ）少なくとも５％の界面活性剤系、
ｃ）少なくとも１５重量％の固体キャリヤー材料、
ｄ）凝集剤
を含んでなる固体布地柔軟性付与成分に関する。
【０００８】
本成分は、好ましくは噴霧乾燥された粒子、凝集物、または押出物の形態にある。しかし、本成分は、錠剤形態またはバー形態に加工することもできる。本成分は、布地処理するためのこれらの形態のいずれかで使用することも、洗剤組成物または布地柔軟性付与剤組成物の一部として使用することもできる。本成分は、前処理または浸漬、または後処理、例えば布地調整、を包含する、自動洗濯および手作業洗濯の両方で使用することができる。
【０００９】
柔軟性付与成分
本発明の成分は、少なくともクレー、凝集剤、界面活性剤および固体キャリヤー材料を含んでなる。成分中の界面活性剤の総量は、好ましくは成分の５〜９０重量％、より好ましくは１０〜７０重量％または１０〜６０重量％、より好ましくは１５〜６０重量％または１５〜５０重量％である。
【００１０】
好ましくは、界面活性剤は少なくとも陰イオン系サルフェート界面活性剤または陰イオン系スルホネート界面活性剤を含んでなる。好ましいスルホネートおよびサルフェート界面活性剤は以下に記載する。
【００１１】
スルホネートまたはサルフェート界面活性剤またはそれらの混合物は、好ましくは成分の５〜６０重量％、より好ましくは成分の１０〜６０重量％、さらには１５〜５０重量％の量で存在する。
【００１２】
成分は、非イオン系界面活性剤またはそれらの混合物を、唯一の界面活性剤として、または他の界面活性剤と組み合わせて含んでなるのが好ましい。非イオン系界面活性剤は、好ましくは成分の２〜６０重量％、より好ましくは成分の５〜５０重量％、さらには１０〜４５重量％の量で存在する。
【００１３】
キャリヤー材料は、好ましくは顆粒状または粉末の形態にある。キャリヤー材料は、好ましくはアルカリ度供給源および／またはビルダーを含んでなる。好ましいアルカリ度供給源は、無機炭酸塩である。好ましいビルダー（やはりアルカリ性であることが多い）はアルミノケイ酸塩、結晶性ケイ酸塩、無定形ケイ酸塩、結晶性層状ケイ酸塩、リン酸塩、カルボン酸またはそれらの塩である。しかし、他の無機塩、例えば硫酸塩、も使用できる。上記の型の好ましい塩はナトリウム塩である。少なくとも１種のカリウム塩がクレーとの緊密な混合物中に存在するのが好ましい。
【００１４】
キャリヤー材料は、好ましくは２０〜９５重量％、より好ましくは２５〜９０重量％、または２５〜８０重量％、さらに好ましくは３０〜７０重量％の量で存在する。
【００１５】
ここで、無機炭酸塩は、成分の少なくとも１０重量％、さらには少なくとも１５重量％で、好ましくは６０重量％まで、さらには５０重量％まで、さらには４０重量％までの量で存在する。
【００１６】
ここで、少なくともリン酸塩またはアルミノケイ酸塩ビルダーが存在するのが非常に好ましい。ここで、ビルダー、好ましくはリン酸塩および／またはアルミノケイ酸塩ビルダーは、成分の少なくとも１０重量％、さらには少なくとも１５重量％で、好ましくは６０重量％まで、さらには５０重量％まで、さらには４０重量％までの量で存在する。
【００１７】
ここでケイ酸塩が有用であり、好ましくもあるが、ケイ酸塩は、少なくとも１種の他のビルダーまたはアルカリ度供給源に加えて使用するのが好ましい。
【００１８】
クレーは、好ましくは成分の少なくとも１重量％の量で、より好ましくは２〜６０重量％、より好ましくは５〜４０重量％、さらには５〜３０重量％、さらには７〜２５重量％の量で存在する。
【００１９】
成分は、クレー、凝集剤、キャリヤー材料および界面活性剤を混合することにより製造する。これによって、これらの材料が互いに緊密に混合される。これは、この分野で公知のいずれかの混合製法または造粒製法により行うことができる。しかし、混合の順序は成分の最終的な性能に大きく影響することがある。好ましい混合製法は、下記の通りである。
【００２０】
−一実施態様では、クレーおよび凝集剤を混合することにより、クレーおよび凝集剤を互いに緊密な混合物にし、続いてこれを、界面活性剤系、キャリヤー材料、または界面活性剤とキャリヤー材料の緊密な混合物の中に、またはこれらの材料で分散させる。
【００２１】
−別の非常に好ましい実施態様では、凝集剤および界面活性剤またはそれらの一部、あるいはキャリヤー材料またはその一部、好ましくは界面活性剤系とキャリヤー材料の両方またはそれらの一部を最初に緊密に混合し、続いてこの混合物をクレーと混合またはクレーで分散させる。続いて、所望により、得られた混合物と、残りのキャリヤー材料および／または界面活性剤を混合する。
【００２２】
−別の好ましい実施態様では、クレーを先ずキャリヤー材料またはその一部と緊密に混合し、次いで、この混合物を、凝集剤で、またはその中に分散させるか、あるいは凝集剤および界面活性剤および所望により残りのキャリヤー材料と混合する。所望により、界面活性剤の一部を第一工程でクレーおよびキャリヤー材料またはその一部と混合することができる。
【００２３】
クレーと凝集性重合体の重量比は、好ましくは１０００：１〜１：１、より好ましくは５００：１〜１：１、最も好ましくは３００：１〜１：１、さらに好ましくは８０：１〜１０：１、特定用途ではさらに６０：１〜２０：１である。
【００２４】
クレーとキャリヤー材料の重量比は、好ましくは１：３０〜５：１、より好ましくは１：２０〜３：１、さらに好ましくは１：１５〜１：１、さらには１：１０〜１：２である。界面活性剤とクレーの重量比は、好ましくは１：３０〜１０：１、より好ましくは１：１５〜５：１、さらに好ましくは１：１０〜３：１、さらには１：５〜１：１である。
【００２５】
ブライトナーの存在は、布地に光沢または白さを与えるのみならず、成分の外観も改良するので、非常に好ましい。ブライトナーは好ましくは成分の少なくとも０．０５重量％、より好ましくは少なくとも０．１重量％、さらには０．１５重量％、さらには０．２重量％の量で存在する。
【００２６】
本成分は、遊離水分を好ましくは成分の３０重量％以下、より好ましくは０．５〜２０重量％、さらには１〜１５重量％、あるいは少なくとも成分の５重量％の量で含んでなることができる。しかし、水に敏感な原料、例えば泡沸系、酵素、漂白剤、香料、が存在するのが好ましいことがあり、その場合、遊離水分の量は好ましくは上記の量より少なく、例えば成分の１２重量％未満、より好ましくは６重量％未満、さらには５重量％未満、最も好ましくは４、さらには３重量％未満である。
【００２７】
好ましい実施態様では、特に炭酸塩が存在する場合、本成分は有機または無機酸を含んでなり、炭酸塩と共に泡沸性を与える。好ましい酸には、クエン酸、酒石酸、乳酸、マレイン酸、リンゴ酸、グルタル酸、アジピン酸、酢酸およびアミノ酸が挙げられる。
【００２８】
本成分は他の布地保護剤、例えば汚れ遊離重合体、セルロース系重合体、染料移動防止剤、陽イオン系柔軟性付与剤、またはそれらの混合物も含んでなることができる。また、非常に好ましい香料成分、酵素またはキレート化剤も存在することができる。
【００２９】
本成分は、好ましくは噴霧乾燥された粒子または凝集した粒子、あるいは押出物またはフレークであるか、または錠剤またはバーの形態に加工することができる。これらの粒子は公知の造粒、噴霧乾燥、凝集、押出または錠剤形成方法により、原料を緊密に混合し、所望により水または他の溶剤を加え、所望により乾燥させることにより、製造することができる。
【００３０】
クレー
ここで使用するクレーは、布地に柔軟性を付与することができるすべてのクレーでよい。分かり易くするために、ここで使用する用語クレーは、アルミノケイ酸ナトリウムゼオライトビルダー化合物は除外するが、この化合物は、本発明の成分にキャリヤー材料またはその一部として包含することができる。
【００３１】
本成分はクレーの混合物和含んでなるのが好ましい。
【００３２】
好ましいクレーの１種はベントナイトクレーである。非常に好ましいクレーは、例えばすべてProcter and Gamble Companyの名前で、米国特許第３，８６２，０５８号、第３，９４８，７９０号、第３，９５４，６３２号および第４，０６２，６４７号、およびヨーロッパ特許第ＥＰ−Ａ−２９９，５７５号および第ＥＰ−Ａ−３１３，１４６号の各明細書に記載されているスメクタイトクレーである。
【００３３】
ここで使用する用語スメクタイトクレーは、酸化アルミニウムがケイ酸塩格子の中に存在するクレー、および酸化マグネシウムがケイ酸塩格子の中に存在するクレーの両方を含む。典型的なスメクタイトクレー化合物は、一般式Ａｌ２（Ｓｉ２Ｏ５）２（ＯＨ）２．ｎＨ２Ｏを有する化合物、および一般式Ｍｇ３（Ｓｉ２Ｏ５）２（ＯＨ）２．ｎＨ２Ｏを有する化合物を包含する。スメクタイトクレーは膨脹可能な３層構造を採る傾向がある。
【００３４】
好適なスメクタイトクレーの具体例には、モンモリロン石、ヘクトライト、ボルコンスコイト(volchonskoites)、ノントロン石、サポナイトおよびソーコナイトから選択された物質、特にアルカリまたはアルカリ土類金属イオンを結晶格子構造中に有する物質がある。ナトリウムまたはカルシウムモンモリロン石が特に好ましい。
【００３５】
好適なスメクタイトクレー、特にモンモリロン石、はEnglish China Clays、Laviosa、Georgia KaolinおよびColin Stewart Mineralsを包含するする様々な供給者から販売されている。
【００３６】
ここで使用するクレーは、好ましくは最大粒子径が０．０１μｍ〜８００μｍ、より好ましくは１ｍｍ〜４００ｍｍ、さらに好ましくは５ｍｍ〜２００ｍｍである。
【００３７】
クレー鉱物化合物の粒子は、他の洗剤化合物を含む凝集粒子の成分として包含することができる。その様な成分として存在する場合、クレー鉱物化合物の「最大粒子径」の用語は、凝集した粒子全体ではなく、クレー鉱物成分自体の最大寸法を意味する。
【００３８】
小さな陽イオン、例えばプロトン、ナトリウムイオン、カリウムイオン、マグネシウムイオンおよびカルシウムイオン、の置換、および正に帯電した官能基を有する分子を含む特定の有機分子の置換は、スメクタイトクレーの結晶格子構造の中で一般的に行なわれる。クレーは、一種類の陽イオンを優先的に吸収する能力によって選択することができ、その様な能力は、相対的なイオン交換容量の測定により評価する。ここで好適なスメクタイトクレーは、一般的に陽イオン交換容量が少なくとも５０ｍｅｑ／１００ｇである。米国特許第３，９５４，６３２号明細書は、陽イオン交換容量の測定方法を記載している。
【００３９】
クレー鉱物化合物の結晶格子構造は、好ましい実施態様では、その中に置換した陽イオン系布地柔軟性付与剤を含むことができる。その様な置換されたクレーは、「疎水性的に活性化された」クレーと呼ばれている。陽イオン系布地柔軟性付与剤は、典型的には陽イオン系布地柔軟性付与剤とクレーの重量比１：２００〜１：１０、好ましくは１：１００〜１：２０で存在する。好適な陽イオン系布地柔軟性付与剤は、英国特許第ＧＢ−Ａ−１５１４２７６号明細書およびヨーロッパ特許第ＥＰ−Ｂ−００１１３４０号明細書に記載されている様な水に不溶性の第３級アミンまたは二長鎖アミド材料を包含する。
【００４０】
好ましい市販の「疎水性的に活性化された」クレーは、約４０重量％のジメチルジタロウ第４級アンモニウム塩を含むベントナイトクレーであり、English China Clays InternationalからClaytone EMの商品名で市販されている。
【００４１】
親油性クレーもここで使用できる。これらの材料は疎水性的に変性されたクレーであり、この分野で公知のイオン交換過程により無機金属イオンを置き換える有機イオンを有する。これらの種類のクレーは有機溶剤と容易に混合することができ、有機溶剤を層間に吸収する能力を有する。本発明で有用な親油性クレーの好適な例は、Highstown, N.J.のRheoxから市販のBentone SD-1、SD-2およびSD-3である。
【００４２】
所望により、クレー、および凝集性重合体も、ワックスおよび構造化剤との混合物で存在する。
【００４３】
凝集剤
本発明の成分は、好ましくは成分の０．００５〜１０重量％、より好ましくは０．０５〜５重量％、最も好ましくは０．１〜２重量％の量で存在するクレー凝集剤を含むことができる。
【００４４】
クレー凝集剤は洗濯溶液中でクレー化合物の粒子を集め、洗濯液中の布地の上に付着し易くする様に機能する。従って、この機能的な必要条件は、一般的に布地から粘度汚れを除去し、その汚れを洗濯溶液中に分散し易くするために洗濯用洗剤成分に加えるクレー分散剤化合物のそれとはとは異なっている。
【００４５】
ここでクレー凝集剤としては、平均分子量が１００，０００〜１０，０００，０００、好ましくは１５０，０００〜５，０００，０００、より好ましくは２００，０００〜２，０００，０００である有機重合体状材料である。
【００４６】
好適な有機重合体状材料は、アルキレンオキシド、特にエチレンオキシド、アクリルアミド、アクリル酸、ビニルアルコール、ビニルピロリドン、およびエチレンイミンから選択されたモノマー単位を含む単独重合体または共重合体を含んでなる。特に、エチレンオキシドの単独重合体、アクリルアミド およびアクリル酸が好ましい。
【００４７】
Procter & Gamble Companyの名前におけるヨーロッパ特許第ＥＰ−Ａ−２９９，５７５号明細書および第ＥＰ−Ａ−３１３，１４６号明細書は、ここで使用するのに好ましい有機重合体状クレー凝集剤を記載している。
【００４８】
無機クレー凝集剤もここで好適であり、その典型的な例は石灰およびミョウバンを包含する。
【００４９】
炭酸塩
ここで好適なアルカリおよび／またはアルカリ土類無機炭酸塩には、カリウム、リチウム、ナトリウム、等の炭酸塩および炭酸水素塩が挙げられ、その中でナトリウムおよびカリウムの炭酸塩が好ましい。ここで使用するのに好適な重炭酸塩には、すべてのアルカリ金属、例えばリチウム、ナトリウム、カリウム、等の重炭酸塩が挙げられるが、特にナトリウムおよびカリウムの重炭酸塩が好ましい。しかし、乾燥泡沸性顆粒中に使用する炭酸塩および重炭酸塩またはそれらの混合物は、顆粒を溶解させる水性媒体中に望ましいｐＨに応じて選択する。例えば、水性媒体中に比較的高いｐＨ（例えばｐＨ９．５を超える）が望ましい場合、炭酸塩を単独で使用するか、または炭酸塩と重炭酸塩の、炭酸塩のレベルが重炭酸塩のレベルより高い組合せを使用するのが好ましい。本発明の成分の無機アルカリおよび／またはアルカリ土類炭酸塩は、好ましくはカリウム、またはより好ましくはナトリウムの炭酸塩および／または重炭酸塩を含んでなる。好ましくは、炭酸塩は炭酸ナトリウムを、および所望により重炭酸ナトリウムも含んでなる。
【００５０】
本発明の一実施態様では、好ましくは有機酸、例えばカルボン酸またはアミノ酸、またはカーボネート、を含んでなる泡沸性供給源が存在する。その場合、ここで使用する炭酸塩の一部または全部が、有機酸と予備混合され、別の顆粒状成分として存在するのが好ましい。
【００５１】
炭酸塩はあらゆる粒子径を有することができる。一実施態様では、特に炭酸塩が、別に加えられた成分としてではなく、顆粒中に存在する場合、炭酸塩は、好ましくは体積平均粒子径が５〜３７５ミクロンであり、その際、好ましくは少なくとも６０体積％、好ましくは少なくとも７０体積％、さらには少なくとも８０体積％、さらには少なくとも９０体積％が１〜４２５ミクロンの粒子径を有する。より好ましくは、二酸化炭素供給源は、体積平均粒子径が１０〜２５０ミクロンであり、その際、好ましくは少なくとも６０体積％、さらには少なくとも７０体積％、さらには少なくとも８０体積％、さらには少なくとも９０体積％が１〜３７５ミクロンの粒子径を有し、さらに好ましくは、体積平均粒子径が１０〜２００ミクロンであり、その際、好ましくは少なくとも６０体積％、好ましくは少なくとも７０体積％、さらには少なくとも８０体積％、さらには少なくとも９０体積％が１〜２５０ミクロンの粒子径を有する。
【００５２】
ビルダー材料
好ましいビルダーはアルミノケイ酸塩材料、例えばゼオライトおよび／またはリン酸塩、である。
【００５３】
水溶性リン酸塩ビルダーの好適な例は、アルカリ金属トリポリリン酸塩、ナトリウム、カリウムおよびアンモニウムのピロリン酸、ナトリウムおよびカリウムおよびアンモニウムのピロリン酸、ナトリウムおよびカリウムのオルトリン酸塩、重合度が約６〜２１であるナトリウムポリメタ／リン酸塩、およびフィチン酸の塩である。リン酸塩ビルダー材料は、最も好ましくはピロリン酸四ナトリウム、またはさらに好ましくは無水トリポリリン酸ナトリウムを含んでなる。
【００５４】
好適なアルミノケイ酸塩ゼオライトは、下記の単位セル式を有するゼオライトである。
【００５５】
Ｎａｚ［（ＡｌＯ２）ｚ（ＳｉＯ２）ｙ］．ｘＨ２Ｏ
式中、ｚおよびｙは少なくとも６であり、ｚとｙのモル比は１．０〜０．５であり、ｘは少なくとも５、好ましくは７．５〜２７６、より好ましくは１０〜２６４である。アルミノケイ酸塩材料は水和した形態にあり、好ましくは結晶性であり、１０％〜２８％、より好ましくは１８％〜２２％の結合した形態にある水を含む。
【００５６】
アルミノケイ酸塩ゼオライトは、天然産の材料でもよいが、合成品が好ましい。合成結晶性アルミノケイ酸塩イオン交換材料は、ゼオライトＡ、ゼオライトＢ、ゼオライトＰ、ゼオライトＸ、ゼオライトＨＳの名称で、およびそれらの混合物として市販されている。ゼオライトＡは下記の式を有する。
【００５７】
Ｎａ１２［ＡｌＯ２）１２（ＳｉＯ２）１２］．ｘＨ２Ｏ
式中、ｘは２０〜３０、特に２７である。ゼオライトＸは式Ｎａ８６［（ＡｌＯ２）８６（ＳｉＯ２）１０６］．２７６Ｈ２Ｏを有する。
【００５８】
別の好ましいアルミノケイ酸塩ゼオライトはゼオライトＭＡＰビルダーである。ゼオライトＭＡＰは、ヨーロッパ特許第３８４０７０−Ａ号明細書に記載されている。ゼオライトＭＡＰは、ゼオライトＰ型のアルカリ金属アルミノケイ酸塩として定義され、ケイ素とアルミニウムの比が１．３３以下、好ましくは０．９〜１．３３、より好ましくは０．９〜１．２の範囲内にある。
【００５９】
ケイ素とアルミニウムの比が１．１５以下、特に１．０７以下のゼオライトＭＡＰが特に重要である。
【００６０】
好ましい態様では、ゼオライトＭＡＰ洗剤ビルダーは、ｄ５０で表した粒子径が１．０〜１０．０マイクロメートル、より好ましくは２．０〜７．０マイクロメートル、最も好ましくは２．５〜５．０マイクロメートルである。
【００６１】
ｄ５０の値は、粒子の５０重量％がその数値よりも小さい直径を有することを示す。粒子径は、特に通常の分析技術、例えば走査電子顕微鏡を使用する顕微鏡測定、またはレーザーグラニュロメーターの使用により測定することができる。ｄ５０値を決定する他の方法はヨーロッパ特許第３８４０７０Ａ号明細書に記載されている。
【００６２】
結晶性層状ケイ酸塩材料、例えばＳＫＳ−６（Clariantから市販）、および無定形ケイ酸塩、好ましくは１．６または２比のケイ酸ナトリウム、も好ましい。これらの材料は低密度、例えば４０ｇ／リットル未満、の粉末材料として、または圧縮された、例えば密度が４００ｇ／リットルを超える、例えばローラー圧縮により得られる材料として存在することができる。これらの材料は、相互の、または他のビルダー材料または無機塩との混合物の形態でも存在することができる。
【００６３】
本成分は、好ましくは水溶性単量体状ポリカルボキシレート、またはそれらの酸形態、単独重合体状または共重合体状ポリカルボン酸またはそれらの塩（その際、ポリカルボン酸は、２個以下の炭素原子により互いに分離された少なくとも２個のカルボキシル基を含む）、ホウ酸塩、およびそれらの混合物を含んでなる。
【００６４】
カルボキシレートまたはポリカルボキシレートビルダーは、単量体状またはオリゴマー状の形態でよいが、コストおよび性能の理由から単量体状ポリカルボキシレートが一般的には好ましい。
【００６５】
１個のカルボキシ基を含む好適なカルボキシレートには、乳酸、グリコール酸およびそれらのエーテル誘導体の水溶性塩が挙げられる。２個のカルボキシ基を含むポリカルボキシレートには、コハク酸、マロン酸、（エチレンジオキシ）ジ酢酸、マレイン酸、ジグリコール酸、酒石酸、タルトロン酸およびフマル酸の水溶性塩、ならびにエーテルカルボキシレートおよびスルフィニルカルボキシレートがある。３個のカルボキシ基を含むポリカルボキシレートまたはそれらの酸としては、特に水溶性のクエン酸塩、アコニット酸塩およびシトラコン酸塩、ならびにコハク酸塩誘導体、例えば英国特許第１，３７９，２４１号明細書に記載されているカルボキシメチルオキシコハク酸塩、英国特許第１，３８９，７３２号明細書に記載されているラクトキシコハク酸塩、およびオランダ国出願第７２０５８７３号明細書に記載されているアミノコハク酸塩、およびオキシポリカルボン酸塩材料、例えば英国特許第１，３８７，４４７号明細書に記載されている２−オキサ−１，１，３−プロパントリカルボン酸塩がある。３個のカルボキシ基を含む最も好ましいポリカルボン酸はクエン酸であり、好ましくは組成物の０．１〜１５重量％、より好ましくは０．５〜８重量％の量で存在する。
【００６６】
４個のカルボキシ基を含むポリカルボキシレートには、英国特許第１，２６１，８２９号明細書に記載されているオキシジコハク酸塩、１，１，２，２−エタンテトラカルボン酸塩、１，１，３，３−プロパンテトラカルボン酸塩および１，１，２，３−プロパンテトラカルボン酸塩が挙げられる。スルホ置換基を含むポリカルボキシレートには、英国特許第１，３９８，４２１号および第１，３９８，４２２号、および米国特許第３，９３６，４４８号の各明細書に記載されているスルホコハク酸塩誘導体、および英国特許第１，４３９，０００号明細書に記載されているスルホン化熱分解クエン酸塩が挙げられる。好ましいポリカルボキシレートは、分子１個あたり３個までのカルボキシ基を含むヒドロキシカルボキシレート、特にクエン酸塩である。
【００６７】
単量体状またはオリゴマー状ポリカルボキシレートキレート化剤の親の酸またはそれらの塩との混合物、例えばクエン酸またはクエン酸塩／クエン酸混合物もビルダー成分として有用である。
【００６８】
ホウ酸塩ビルダー、ならびに洗浄条件下でホウ酸塩を形成することができるホウ酸塩形成材料はここで有用な水溶性ビルダーである。
【００６９】
界面活性剤系
本成分は界面活性剤系を含んでなる。界面活性剤系は、洗剤組成物に一般的に使用されている界面活性剤、例えば陰イオン系界面活性剤、非イオン系界面活性剤、陽イオン系界面活性剤、両性界面活性剤 、双生イオン系界面活性剤またはそれらの混合物、を含むことができる。上記の様に、少なくとも陰イオン系サルフェートおよび／またはスルホネート界面活性剤が存在するのが好ましい。非イオン系界面活性剤も好ましい。
【００７０】
陽イオン系界面活性剤、双生イオン系界面活性剤または両性界面活性剤 が存在する場合、少なくとも陰イオン系界面活性剤または非イオン系界面活性剤も存在するのが好ましい。
【００７１】
陰イオン系界面活性剤
洗浄目的に有用なすべての陰イオン系界面活性剤が好適である。これらの界面活性剤には、陰イオン系サルフェート、スルホネート、カルボキシレートおよびサルコシネート界面活性剤の塩（例えばナトリウム、カリウム、アンモニウム、およびモノ−、ジ−およびトリエタノールアミン塩の様な置換アンモニウム塩を包含する）を包含することができる。
【００７２】
陰イオン系スルホネート界面活性剤は、好ましくは陰イオン系界面活性剤または陰イオン系界面活性剤の一部として存在する。
【００７３】
他の好適な陰イオン系界面活性剤にはイセチオネート、例えばアシルイセチオネート、Ｎ−アシルタウレート、メチルタウライドの脂肪酸アミド、アルキルスクシネートおよびスルホスクシネート、スルホスクシネートのモノエステル（特に飽和および不飽和Ｃ１２〜Ｃ１８モノエステル）、スルホスクシネートのジエステル（特に飽和化された、および不飽和化されたＣ６〜Ｃ１４ジエステル）、Ｎ−アシルサルコシネートが挙げられる。樹脂酸および水素化樹脂酸、例えばロジン、水素化ロジン、およびタロウ油中に存在するか、またはタロウ油に由来する樹脂酸および水素化樹脂酸、も好適である。
【００７４】
本発明の成分中に陰イオン系界面活性剤も使用される場合に得られる性能特性は、炭素鎖長の長い陰イオン系界面活性剤、例えば炭素鎖長がＣ１２以上、特にＣ
１４−１５、あるいはＣ１６−１８炭素鎖長を有する界面活性剤に特に有用である。
【００７５】
陰イオン系サルフェート界面活性剤
本発明の成分に使用するのに好適な陰イオン系サルフェート界面活性剤には、炭素数が９〜２２である直鎖または分岐鎖状のアルキルまたはアルケニル部分、より好ましくはＣ１２〜Ｃ１８アルキル、を有する第１級および第２級アルキルサルフェート、アルキルエトキシサルフェート、脂肪オレオイルグリセロールサルフェート、アルキルフェノールエチレンオキシドエーテルサルフェート、Ｃ５〜Ｃ１７アシル−Ｎ−（Ｃ１〜Ｃ４アルキル）および−Ｎ−（Ｃ１〜Ｃ２ヒドロキシアルキル）グルカミンサルフェート、およびアルキル多糖のサルフェート、例えばアルキルポリグルコシド（ここに説明する非イオン系非サルフェート化合物）のサルフェートがある。
【００７６】
アルキルエトキシサルフェート界面活性剤は好ましくは、分子１個あたり０．５〜２０モルのエチレンオキシドでエトキシル化したＣ９〜Ｃ２２アルキルサルフェートからなる群から選択する。より好ましくは、アルキルエトキシサルフェート界面活性剤は好ましくは、分子１個あたり０．５〜７モル、好ましくは１〜５モルのエチレンオキシドでエトキシル化したＣ１１〜Ｃ１８、最も好ましくはＣ１１〜Ｃ１５アルキルサルフェートである。
【００７７】
本発明の特に好ましい態様では、好ましいアルキルサルフェートおよびアルキルエトキシサルフェート界面活性剤の混合物を使用する。その様な混合物は、ＰＣＴ特許出願第ＷＯ９３／１８１２４号明細書に記載されている。
【００７８】
陰イオン系スルホネート界面活性剤
ここで使用するのに好適な陰イオン系スルホネート界面活性剤には、Ｃ５〜Ｃ２０、より好ましくはＣ１０〜Ｃ１６、より好ましくはＣ１１〜Ｃ１３の（直鎖状の）アルキルベンゼンスルホネート、アルキルエステルスルホネート、Ｃ６〜Ｃ２２第１級または第２級アルカンスルホネート、Ｃ６〜Ｃ２４オレフィンスルホネート、スルホン化ポリカルボン酸、アルキルグリセロールスルホネート、脂肪アシルグリセロールスルホネート、脂肪オレイルグリセロールスルホネート、およびそれらの混合物がある。
【００７９】
アルキルエステルスルホン化界面活性剤は、好ましくは下記の式を有する。
【００８０】
Ｒ１−ＣＨ（ＳＯ３Ｍ）−（Ａ）ｘ−Ｃ（Ｏ）−ＯＲ２
式中、Ｒ１はＣ６〜Ｃ２２ヒドロカルビルであり、Ｒ２はＣ１〜Ｃ６アルキルであり、ＡはＣ６〜Ｃ２２アルキレン、アルケニレンであり、ｘは０または１であり、Ｍは陽イオンである。対イオンＭは、好ましくはナトリウム、カリウムまたはアンモニウムである。
【００８１】
アルキルエステルスルホン化界面活性剤は、好ましくは上記式のα−スルホアルキルエステルであり、ｘは従って０である。好ましくはＲ１は、炭素数１０〜２２、好ましくは１６Ｃ原子のアルキルまたはアルケニル基であり、ｘは好ましくは０である。Ｒ２は、好ましくはエチル、より好ましくはメチルである。
【００８２】
エステルのＲ１は、好ましくは１、２または３個の二重結合を有する不飽和化された脂肪酸に由来するのが好ましい。エステルのＲ１は、天然の脂肪酸、好ましくはパルミチン酸またはステアリン酸またはそれらの混合物、から誘導されるのも好ましい。
【００８３】
二陰イオン系界面活性剤
本発明の成分には、二陰イオン系界面活性剤も好適である。下記の式を有する二陰イオン系界面活性剤が好ましい。
【００８４】
【化１】
0004744696.tif 000002
式中、Ｒは、鎖長Ｃ１〜Ｃ２８、好ましくはＣ３〜Ｃ２４、最も好ましくはＣ８〜Ｃ２０、の、所望により置換された、アルキル、アルケニル、アリール、アルカリール、エーテル、エステル、アミンまたはアミド基、または水素であり、ＡおよびＢは独立して、鎖長Ｃ１〜Ｃ２８、好ましくはＣ１〜Ｃ５、最も好ましくはＣ１またはＣ２、のアルキレン、アルケニレン、（ポリ）アルコキシレン、ヒドロキシアルキレン、アリールアルキレンまたはアミドアルキレン基、または共有結合から選択され、好ましくはＡおよびＢは合計で少なくとも２個の原子を含み、Ａ、Ｂ、およびＲの合計炭素数が４〜約３１であり、ＸおよびＹは、カルボキシレート、および好ましくはサルフェートおよびスルホネートを含んでなる群から選択された陰イオン基であり、ｚは０または好ましくは１であり、Ｍは陽イオン系部分、好ましくは置換された、または置換されていないアンモニウムイオン、またはアルカリまたはアルカリ土類金属イオンである。
【００８５】
最も好ましい二陰イオン系界面活性剤は上記の式を有し、Ｒが鎖長Ｃ１０〜Ｃ１８のアルキル基であり、ＡおよびＢは独立してＣ１またはＣ２であり、ＸおよびＹの両方がサルフェート基であり、Ｍはカリウム、アンモニウムまたはナトリウムイオンである。
【００８６】
本発明で好ましい二陰イオン系界面活性剤には、下記の物質が挙げられる。
【００８７】
（ａ）３ジサルフェート化合物、好ましくは１，３Ｃ7〜Ｃ23（すなわち分子中の炭素総数）の直鎖状または分岐鎖状アルキルまたはアルケニルジサルフェート、より好ましくは下記の式を有する化合物である。
【００８８】
【化２】
0004744696.tif 000003
式中、Ｒは、鎖長約Ｃ4〜約Ｃ２０の直鎖状または分岐鎖状のアルキルまたはアルケニル基である。
【００８９】
（ｂ）１，４ジサルフェート化合物、好ましくは１，４Ｃ8〜Ｃ22の直鎖または分岐鎖アルキルまたはアルケニルジサルフェート、より好ましくは下記の式を有する化合物である。
【００９０】
【化３】
0004744696.tif 000004
式中、Ｒは、鎖長約Ｃ４〜約Ｃ１８の直鎖状または分岐鎖状のアルキルまたはアルケニル基であり、好ましいＲはオクタニル、ノナニル、デシル、ドデシル、テトラデシル、ヘキサデシル、オクタデシル、およびそれらの混合物から選択される。
【００９１】
（ｃ）１，５ジサルフェート化合物、好ましくは１，５Ｃ9〜Ｃ23の直鎖状または分岐鎖状アルキルまたはアルケニルジサルフェート、より好ましくは下記の式を有する化合物である。
【００９２】
【化４】
0004744696.tif 000005
式中、Ｒは、鎖長約Ｃ４〜約Ｃ１８の直鎖状または分岐鎖状アルキルまたはアルケニル基である。
【００９３】
本発明の二陰イオン系界面活性剤はアルコキシル化二陰イオン系界面活性剤であるのが好ましい。
【００９４】
好ましいアルコキシル化二陰イオン系界面活性剤は下記の式を有する
【化５】
0004744696.tif 000006
式中、Ｒは、鎖長Ｃ１〜Ｃ２８、好ましくはＣ３〜Ｃ２４、最も好ましくはＣ８〜Ｃ２０、の、所望により置換された、アルキル、アルケニル、アリール、アルカリール、エーテル、エステル、アミンまたはアミド基、または水素であり、ＡおよびＢは独立して、鎖長Ｃ１〜Ｃ２８、好ましくはＣ１〜Ｃ５、最も好ましくはＣ１またはＣ２、の、所望により置換されたアルキルおよびアルケニル基、または共有結合から選択され、ＥＯ／ＰＯは、エトキシ、プロポキシ、および混合エトキシ／プロポキシ基から選択されたアルコキシ部分であり、ｎおよびｍは独立して約０〜約１０の範囲内にあり、少なくともｍまたはｎは少なくとも１であり、ＡおよびＢは合計で少なくとも２個の原子を含み、Ａ、Ｂ、およびＲの合計炭素数が４〜約３１であり、ＸおよびＹは、サルフェートおよびスルホネートからなる群から選択された陰イオン基であるが、ただし、ＸまたはＹの少なくとも一方はサルフェート基であり、Ｍは陽イオン系部分、好ましくは置換された、または置換されていないアンモニウムイオン、またはアルカリまたはアルカリ土類金属イオンである。
【００９５】
最も好ましいアルコキシル化二陰イオン系界面活性剤は上記の式を有し、Ｒが鎖長Ｃ１０〜Ｃ１８のアルキル基であり、ＡおよびＢは独立してＣ１またはＣ２であり、ｎおよびｍは両方共１であり、ＸおよびＹの両方がサルフェート基であり、Ｍはカリウム、アンモニウムまたはナトリウムイオンである。
【００９６】
中鎖分岐したアルキルサルフェートまたはスルホネート
中鎖分岐したアルキルサルフェートまたはスルホネートも本発明の成分に使用するのに好適な陰イオン系界面活性剤である。中鎖分岐したアルキルサルフェートが好ましい。
【００９７】
好ましい中鎖分岐した第１級アルキルサルフェート界面活性剤は下記の式を有する。
【００９８】
【化６】
0004744696.tif 000007
これらの界面活性剤は、炭素数が好ましくは１２〜１９である線状第１級アルキルサルフェート鎖骨格（すなわち硫酸化された炭素原子を包含する最長炭素直鎖）を有し、それらの分岐した第１級アルキル部分は、好ましくは炭素総数が少なくとも１４であり、好ましくは２０以下である。これらのサルフェート界面活性剤の２種類以上を含んでなる本発明の成分では、分岐した第１級アルキル部分に関する炭素原子の平均総数は１４．５を超え、約１７．５までの範囲内にある。そのため、界面活性剤系は、好ましくは炭素数が１２以上、または１９以下である最長炭素直鎖を有する、少なくとも１種の分岐した第１級アルキルサルフェート界面活性剤化合物を含んでなり、分岐を含む炭素原子の総数は少なくとも１４でなければならず、さらに分岐した第１級アルキル部分の炭素原子の平均総数は１４．５を超え、約１７．５までの範囲内にある。
【００９９】
好ましいモノ−メチル分岐した第１級アルキルサルフェートは、３−メチルペンタデカノールサルフェート、４−メチルペンタデカノールサルフェート、５−メチルペンタデカノールサルフェート、６−メチルペンタデカノールサルフェート、７−メチルペンタデカノールサルフェート、８−メチルペンタデカノールサルフェート、９−メチルペンタデカノールサルフェート、１０−メチルペンタデカノールサルフェート、１１−メチルペンタデカノールサルフェート、１２−メチルペンタデカノールサルフェート、１３−メチルペンタデカノールサルフェート、３−メチルヘキサデカノールサルフェート、４−メチルヘキサデカノールサルフェート、５−メチルヘキサデカノールサルフェート、６−メチルヘキサデカノールサルフェート、７−メチルヘキサデカノールサルフェート、８−メチルヘキサデカノールサルフェート、９−メチルヘキサデカノールサルフェート、１０−メチルヘキサデカノールサルフェート、１１−メチルヘキサデカノールサルフェート、１２−メチルヘキサデカノールサルフェート、１３−メチルヘキサデカノールサルフェート、１４−メチルヘキサデカノールサルフェート、およびそれらの混合物からなる群から選択される。
【０１００】
好ましいジ−メチル分岐第１級アルキルサルフェートは、２，３−メチルテトラデカノールサルフェート、２，４−メチルテトラデカノールサルフェート、２，５−メチルテトラデカノールサルフェート、２，６−メチルテトラデカノールサルフェート、２，７−メチルテトラデカノールサルフェート、２，８−メチルテトラデカノールサルフェート、２，９−メチルテトラデカノールサルフェート、２，１０−メチルテトラデカノールサルフェート、２，１１−メチルテトラデカノールサルフェート、２，１２−メチルテトラデカノールサルフェート、２，３−メチルペンタデカノールサルフェート、２，４−メチルペンタデカノールサルフェート、２，５−メチルペンタデカノールサルフェート、２，６−メチルペンタデカノールサルフェート、２，７−メチルペンタデカノールサルフェート、２，８−メチルペンタデカノールサルフェート、２，９−メチルペンタデカノールサルフェート、２，１０−メチルペンタデカノールサルフェート、２，１１−メチルペンタデカノールサルフェート、２，１２−メチルペンタデカノールサルフェート、２，１３−メチルペンタデカノールサルフェート、およびそれらの混合物からなる群から選択される。
【０１０１】
下記の、炭素数が１６であり、１個の分岐単位を有する分岐した第１級アルキルサルフェートは、本発明の成分で有用な好ましい分岐した界面活性剤の例である。
【０１０２】
【化７】
0004744696.tif 000008
式中、Ｍは好ましくはナトリウムである。
【０１０３】
下記の、炭素数が１７であり、２個の分岐単位を有する分岐した第１級アルキルサルフェートは、本発明の好ましい分岐界面活性剤の例である。
【０１０４】
【化８】
0004744696.tif 000009
0004744696.tif 000010
式中、Ｍは好ましくはナトリウムである。
【０１０５】
陰イオン系カルボキシレート界面活性剤
好適な陰イオン系カルボキシレート界面活性剤には、アルキルエトキシカルボキシレート、アルキルポリエトキシポリカルボキシレート界面活性剤およびセッケン（「アルキルカルボキシル」）、特にここに記載する特定の第２級セッケン、が挙げられる。
【０１０６】
好適なアルキルエトキシカルボキシレートは、下記の式を有する物質を包含する。
【０１０７】
ＲＯ（ＣＨ２ＣＨ２Ｏ）ｘＣＨ２ＣＯＯ−Ｍ＋
式中、ＲはＣ６〜Ｃ１８アルキル基であり、ｘは０〜１０であり、エトキシレートは、ｘが０である物質の量が２０重量％未満になる様に分布しており、Ｍは陽イオンである。好適なアルキルポリエトキシポリカルボキシレート界面活性剤は、下記の式を有する界面活性剤を包含する。
【０１０８】
ＲＯ−（ＣＨＲ１−ＣＨＲ２−Ｏ）−Ｒ３
式中、ＲはＣ６〜Ｃ１８アルキル基であり、ｘは１〜２５であり、Ｒ１およびＲ２は、水素、メチル酸基、コハク酸基、ヒドロキシコハク酸基、およびそれらの混合物からなる群から選択され、Ｒ３は水素、置換された、または置換されていない、炭素数が１〜８である炭化水素、およびそれらの混合物からなる群から選択される。
【０１０９】
好適なセッケン界面活性剤は、第２級炭素に結合したカルボキシル単位を含む第２級セッケン界面活性剤を包含する。ここで使用するのに好ましい第２級セッケン界面活性剤は、２−メチル−１−ウンデカン酸、２−エチル−１−デカン酸、２−プロピル−１−ノナン酸、２−ブチル−１−オクタン酸および２−ペンチル−１−ヘプタン酸の水溶性塩からなる群から選択された水溶性物質である。
【０１１０】
ある種のセッケンは発泡抑制剤として包含することもできる。
【０１１１】
アルカリ金属サルコシネート界面活性剤
他の好適な陰イオン系界面活性剤は、下記の式のアルカリ金属サルコシネートである。
【０１１２】
Ｒ−ＣＯＮ（Ｒ１）ＣＨ２ＣＯＯＭ
式中、ＲはＣ５〜Ｃ１７の直線状の、または分岐した、アルキルまたはアルケニル基であり、Ｒ１はＣ１〜Ｃ４アルキル基であり、Ｍはアルカリ金属イオンである。好ましい例は、ナトリウム塩の形態にあるミリスチルおよびオレイルメチルサルコシネートである。
【０１１３】
非イオン系化界面活性剤系
洗剤成分は、少なくとも２種類の非イオン系アルコキシル化界面活性剤を含んでなる非イオン系界面活性剤系を含んでなることができる。
【０１１４】
実質的にすべてのアルコキシル化非イオン系界面活性剤がここで好適である。エトキシル化およびプロポキシル化された非イオン系界面活性剤が好ましい。
【０１１５】
好ましいアルコキシル化界面活性剤は、アルキルフェノール、非イオン系エトキシル化アルコール、非イオン系アルコキシル化脂肪酸アミド 、非イオン系エトキシル化／プロポキシル化脂肪アルコールの非イオン系縮合物、プロピレングリコールとの非イオン系エトキシレート／プロポキシレート縮合物、およびプロピレンオキシド／エチレンジアミン付加物との非イオン系エトキシレート縮合生成物の群から選択することができる。
【０１１６】
好ましくは、少なくとも１種の非イオン系界面活性剤は、以下に説明するアルコキシル化アルコール界面活性剤である。
【０１１７】
非イオン系アルコキシル化脂肪酸アミドも好ましく、布地の柔軟性をさらに強化するか、または洗剤が皮膚と接触した時に、皮膚に柔軟性を与えることができる。
【０１１８】
少なくとも２種類の非イオン系アルコキシル化アルコール界面活性剤を含んでなり、好ましくは一種類の界面活性剤の平均アルコキシル化度が５以下であり、１種類の界面活性剤の平均アルコキシル化度が５を超えている非イオン系界面活性剤系が最も好ましい。平均アルコキシル化度が３または５である少なくとも１種の非イオン系アルコキシル化アルコールおよび平均アルコキシル化度が５．５〜１５、好ましくは６または９である少なくとも１種の非イオン系アルコキシル化アルコールを含んでなる系が非常に好ましい。
【０１１９】
非イオン系界面活性剤のアルコキシル化基は、好ましくはプロポキシレート基、より好ましくはエトキシレート基である。
【０１２０】
脂肪族アルコールと１〜２５モルのアルキレンオキシド、特にエチレンオキシドおよび／またはプロピレンオキシド、の縮合生成物が、本発明の非イオン系界面活性剤系で好ましい。脂肪族アルコールのアルキル鎖は、線状または分岐鎖状の、第１級または第２級でよく、一般的に炭素数が６〜２２である。炭素数が８〜２０であるアルキル基を有するアルコールの縮合生成物が特に好ましい。
【０１２１】
本発明の非イオン系界面活性剤系は、アルコキシル化脂肪酸アミドを含んでなることができ、好ましくは下記の式を有する化合物を含んでなる。
【０１２２】
【化９】
0004744696.tif 000011
式中、Ｒ１はＣ１２〜Ｃ１８アルキルまたはアルケニル基であり、Ｒ２はＣ２〜Ｃ４アルキレン基であり、Ｒ３は水素またはＣ１〜Ｃ４アルキル基であり、Ｒ４はＣ１〜Ｃ４アルキル基または水素であり、ｎは３〜１２の数である。
【０１２３】
好ましいアルコキシル化脂肪酸アミドは、Ｒ１がＣ１２〜Ｃ１４またはまたはＣ１６〜Ｃ１８アルキル基であり、Ｒ２がプロピレンであるか、またはより好ましくはエチレンであり、Ｒ４がメチルまたは水素であり、Ｒ３がまたはメチルまたはエチル基である。
【０１２４】
本発明の洗剤成分は、ポリヒドロキシ脂肪酸アミドを包含する非アルコキシル化非イオン系界面活性剤もさらに含んでなることができる。ここで使用するのに好適な材料は、下記の構造式を有する物質である。
【０１２５】
Ｒ２ＣＯＮＲ１Ｚ
式中、Ｒ１はＨ、Ｃ１〜Ｃ４ヒドロカルビル、２−ヒドロキシエチル、２−ヒドロキシプロピル、エトキシ、プロポキシ、またはそれらの混合物、好ましくはＣ１〜Ｃ４アルキル、より好ましくはＣ１またはＣ２アルキル、最も好ましくはＣ１アルキル（すなわちメチル）であり、Ｒ２はＣ５〜Ｃ３１ヒドロカルビル、好ましくは直鎖Ｃ５〜Ｃ１９アルキルまたはアルケニル、より好ましくは直鎖Ｃ９〜Ｃ１７アルキルまたはアルケニル、最も好ましくは直鎖Ｃ１１〜Ｃ１７アルキルまたはアルケニル、またはそれらの混合物であり、Ｚは、少なくとも３個のヒドロキシルが鎖に直接結合したヒドロカルビル直鎖を有するポリヒドロキシヒドロカルビル、またはそれらのアルコキシル化（好ましくはエトキシル化またはプロポキシル化）誘導体である。Ｚは、好ましくはアミノ化反応で還元糖から得られ、より好ましくはＺはグリシチルである。
【０１２６】
本発明の洗剤成分は、アルキル多糖、例えば米国特許第４，５６５，６４７号明細書、Llenado、１９８６年１月２１日公布、に記載されており、炭素数が６〜３０である疎水性基、およびサッカライド単位の数が１．３〜１０である多糖、例えばポリグリコシド、の親水性基を有する物質、も含むことができる。
【０１２７】
好ましいアルキルポリグリコシドは、下記の式を有する。
【０１２８】
Ｒ２Ｏ（ＣｎＨ２ｎＯ）ｔ（グリコシル）ｘ
式中、Ｒ２は、アルキル基の炭素数が１０〜１８であるアルキル、アルキルフェニル、ヒドロキシアルキル、ヒドロキシアルキルフェニル、およびそれらの混合物からなる群から選択され、ｎは２または３であり、ｔは０〜１０であり、ｘは１．３〜８である。グリコシルは好ましくはグルコースに由来する。
【０１２９】
両性(amphoteric)界面活性剤
ここで使用するのに好適な両性界面活性剤は、アミンオキシド界面活性剤とアルキル両性カルボン酸を包含する。
【０１３０】
好適なアミンオキシドは、下記の式を有する化合物を包含する。
【０１３１】
Ｒ３（ＯＲ４）ｘＮ０（Ｒ５）２
式中、Ｒ３は、炭素数が８〜２６である、アルキル、ヒドロキシアルキル、アシルアミドプロピルおよびアルキルフェニル基、またはそれらの混合物から選択され、Ｒ４は炭素数が２〜３であるアルキレンまたはヒドロキシアルキレン基、またはそれらの混合物であり、ｘは０〜５、好ましくは０〜３であり、各Ｒ５は、１〜３を含むアルキルまたはヒドロキシアルキル基であるか、またはエチレンオキシド基の数が１〜３であるポリエチレンオキシド基である。Ｃ１０〜Ｃ１８アルキルジメチルアミンオキシド、およびＣ１０−１８アシルアミドアルキルジメチルアミンオキシドが好ましい。
【０１３２】
アルキル両性ジカルボン酸の好例は、Miranol, Inc., Dayton, NJ.により製造されているMiranol（商品名） C2M Conc. である。
【０１３３】
双生イオン系界面活性剤
本発明の洗剤成分には、双生イオン系界面活性剤も配合することができる。これらの界面活性剤は、第２級および第３級アミンの誘導体、複素環式第２級および第３級アミンの誘導体、または第４級アンモニウム、第４級ホスホニウムまたは第３級スルホニウム化合物の誘導体として大まかに説明することができる。ベタインおよびスルタイン界面活性剤が、ここで使用する双生イオン系界面活性剤の代表例である。
【０１３４】
好適なベタインは、下記の式を有する化合物である。
【０１３５】
Ｒ（Ｒ’）２Ｎ＋Ｒ２ＣＯＯ−
式中、ＲはＣ６〜Ｃ１８ヒドロカルビル基であり、各Ｒ１は、典型的にはＣ１〜Ｃ３アルキルであり、Ｒ２はＣ１〜Ｃ５ヒドロカルビル基である。好ましいベタインはＣ１２−１８ジメチル−アンモニオヘキサノエートおよびＣ１０−１８アシルアミドプロパン（またはエタン）ジメチル（またはジエチル）ベタインである。複合体ベタイン界面活性剤もここで使用するのに好適である。
【０１３６】
陽イオン系界面活性剤
本発明の洗剤に使用する好適な陽イオン系界面活性剤は、第４級アンモニウム界面活性剤を包含する。好ましくは、第４級アンモニウム界面活性剤は、モノＣ６〜Ｃ１６、好ましくはＣ６〜Ｃ１０Ｎ−アルキルまたはアルケニルアンモニウム界面活性剤であり、その際、残りのＮ位置はメチル、ヒドロキシエチルまたはヒドロキシプロピル基により置換されている。モノ−アルコキシル化およびビス−アルコキシル化アミン界面活性剤も好ましい。
【０１３７】
本発明の洗剤成分に使用できる陽イオン系界面活性剤の別の好適な群は、陽イオン系エステル界面活性剤である。陽イオン系エステル界面活性剤は、少なくとも１個のエステル（すなわち−ＣＯＯ−）結合および少なくとも１個の陽イオン的に帯電した基を含んでなる、界面活性剤特性を有する、好ましくは水に分散し得る化合物である。
【０１３８】
コリンエステル界面活性剤を包含する好適な陽イオン系エステル界面活性剤は、例えば米国特許第４２２８０４２号、第４２３９６６０号および第４２６０５２９号の各明細書に開示されている。
【０１３９】
好ましい態様では、エステル結合および陽イオン的に帯電した基は、界面活性剤分子中で、少なくとも３原子（すなわち３原子鎖長の）、好ましくは３〜８原子、より好ましくは３〜５原子、最も好ましくは３原子を含んでなる鎖からなるスペーサー基により互いに分離されている。スペーサー基の鎖を形成する原子は、炭素、窒素および酸素およびそれらの混合物からなる群から選択されるが、ただし該鎖中のどの窒素または酸素原子も、鎖中の炭素原子とのみ結合している。従って、例えば−Ｏ−Ｏ−（すなわち過酸化物）、−Ｎ−Ｎ−、および−Ｎ−Ｏ−結合を有するスペーサー基は除外されるのに対し、例えば−ＣＨ２−Ｏ−ＣＨ２
−および−ＣＨ２−ＮＨ−ＣＨ２−結合を有するスペーサー基は包含される。好ましい態様では、スペーサー基の鎖は炭素原子のみを含んでなり、最も好ましくは鎖はヒドロカルビル鎖である。
【０１４０】
陽イオン系モノ−アルコキシル化アミン界面活性剤
ここで非常に好ましい材料は、下記の一般式Ｉを有する陽イオン系モノ−アルコキシル化アミン界面活性剤である。
【０１４１】
【化１０】
0004744696.tif 000012
式中、Ｒ１は炭素数が約６〜約１８、好ましくは６〜約１６、最も好ましくは約６〜約１４であるアルキルまたはアルケニル部分であり、Ｒ２およびＲ３は、それぞれ独立して、炭素数が１〜約３であるアルキル基、好ましくはメチルであり、最も好ましくはＲ２およびＲ３の両方がメチル基であり、Ｒ４は、水素（好ましい）、メチルおよびエチルから選択され、Ｘ−は、電気的な中性を与えるための陰イオン、例えばクロライド、ブロマイド、メチルサルフェート、サルフェート、等であり、Ａはアルコキシ基、特にエトキシ、プロポキシ、ブトキシ基であり、ｐは０〜約３０、好ましくは２〜約１５、最も好ましくは２〜約８である。
【０１４２】
好ましくは、式Ｉ中のＡｐＲ４基はｐ＝１であり、ヒドロキシアルキル基であり、炭素数が６以下であり、その際、−ＯＨ基が３個以下の炭素原子により第４級アンモニウム窒素原子から分離されている。特に好ましいＡｐＲ４基は−ＣＨ２ＣＨ２ＯＨ、−ＣＨ２ＣＨ２ＣＨ２ＯＨ、−ＣＨ２ＣＨ（ＣＨ３）ＯＨおよび−ＣＨ（ＣＨ３）ＣＨ２ＯＨであり、−ＣＨ２ＣＨ２ＯＨが特に好ましい。好ましいＲ１基は直鎖状のアルキル基である。炭素数が８〜１４である直鎖状のＲ１基が好ましい。
【０１４３】
ここで使用するのに非常に好ましい別の陽イオン系モノ−アルコキシル化アミン界面活性剤は、下記の式を有する物質である。
【０１４４】
【化１１】
0004744696.tif 000013
式中、Ｒ１はＣ１０〜Ｃ１８ヒドロカルビルおよびそれらの混合物、特にＣ１０〜Ｃ１４アルキル、好ましくはＣ１０およびＣ１２アルキルであり、Ｘは、電荷のバランスをとるのに好都合のすべての陰イオン、好ましくはクロライドまたはブロマイドである。
【０１４５】
上記の様に、上記の種類の化合物には、エトキシ（ＣＨ２ＣＨ２Ｏ）単位（ＥＯ）が、ブトキシ、イソプロポキシ［ＣＨ（ＣＨ３）ＣＨ２Ｏ］および［ＣＨ２ＣＨ（ＣＨ３）Ｏ］単位（ｉ−Ｐｒ）またはｎ−プロポキシ単位（Ｐｒ）、またはＥＯおよび／またはＰｒおよび／またはｉ−Ｐｒ単位の混合物で置き換えられている化合物が挙げられる。
【０１４６】
本発明の洗剤成分に使用する陽イオン系モノ−アルコキシル化アミン界面活性剤の量は、成分の０．５〜３０重量％、より好ましくは１〜２５重量％、最も好ましくは１〜１０重量％である。
【０１４７】
陽イオン系ビス−アルコキシル化アミン界面活性剤
陽イオン系ビス−アルコキシル化アミン界面活性剤は、下記の一般式IIを有する。
【０１４８】
【化１２】
0004744696.tif 000014
式中、Ｒ１は炭素数が約８〜約１８、好ましくは１０〜約１６、最も好ましくは約１０〜約１４、であるアルキルまたはアルケニル部分であり、Ｒ２は炭素数が１〜３であるアルキル基、好ましくはメチルであり、Ｒ３およびＲ４は、独立して変化することができ、水素（好ましい）、メチルおよびエチルから選択され、Ｘ−は、電気的な中性を与えるのに十分な陰イオン、例えばクロライド、ブロマイド、メチルサルフェート、サルフェート、等である。ＡおよびＡ’は、独立して変化することができ、それぞれＣ１〜Ｃ４アルコキシ、特にエトキシ（すなわち−ＣＨ２ＣＨ２Ｏ−）、プロポキシ、ブトキシおよびそれらの混合物から選択され、ｐは１〜約３０、好ましくは１〜約４であり、ｑは１〜約３０、好ましくは１〜約４であり、最も好ましくはｐとｑの両方が１である。
【０１４９】
ここで使用するのに非常に好ましい陽イオン系ビス−アルコキシル化アミン界面活性剤は、下記の式を有する物質である。
【０１５０】
【化１３】
0004744696.tif 000015
式中、Ｒ１はＣ１０〜Ｃ１８ヒドロカルビルおよびそれらの混合物であり、好ましくはＣ１０、Ｃ１２、Ｃ１４アルキルおよびそれらの混合物である。Ｘは、電荷のバランスをとるのに好都合なすべての陰イオン、好ましくはクロライドである。上記の一般的な陽イオン系ビスアルコキシル化アミン構造に関して、好ましい化合物ではＲ１が（ココナッツ）Ｃ１２〜Ｃ１４アルキル画分脂肪酸に由来するので、Ｒ２はメチルであり、ＡｐＲ３およびＡ’ｑＲ４はそれぞれモノエトキシである。
【０１５１】
ここで使用するのに有用な他の陽イオン系ビスアルコキシル化アミン界面活性剤は、下記の式を有する化合物を包含する。
【０１５２】
【化１４】
0004744696.tif 000016
式中、Ｒ１はＣ１０〜Ｃ１８ヒドロカルビル、好ましくはＣ１０〜Ｃ１４アルキルであり、独立してｐは１〜約３であり、ｑは１〜約３であり、Ｒ２はＣ１〜Ｃ３アルキル、好ましくはメチルであり、Ｘは陰イオン、特にクロライドまたはブロマイドである。
【０１５３】
上記の種類の他の化合物には、エトキシ（ＣＨ２ＣＨ２Ｏ）単位（ＥＯ）が、ブトキシ（Ｂｕ）、イソプロポキシ［ＣＨ（ＣＨ３）ＣＨ２Ｏ］および［ＣＨ２ＣＨ（ＣＨ３）Ｏ］単位（ｉ−Ｐｒ）またはｎ−プロポキシ単位（Ｐｒ）、またはＥＯおよび／またはＰｒおよび／またはｉ−Ｐｒ単位の混合物で置き換えられている化合物が挙げられる。
【０１５４】
成分の他の原料およびその成分を含む組成物
本成分は、他の原料を含んでなることができる。これらの原料は、好ましくは以下に記載する様な、洗濯用洗剤または洗濯用柔軟性付与剤に一般的に使用されている原料である。
【０１５５】
本発明の布地柔軟性付与成分は、洗剤組成物または柔軟性付与組成物中に存在することができる。これらの組成物は好ましくは固体の、顆粒、押出物、フレーク、バーまたは錠剤の形態にあるのが好ましい。
【０１５６】
組成物は、自動洗濯または手作業洗濯に使用できる。また、組成物は、前処理または浸漬、あるいは主洗濯後の布地の濯ぎまたは調整にも好適である。
【０１５７】
本発明の組成物は、他の洗剤成分も含むことができる。これらの追加成分の性質およびそれらの配合量は、組成物または成分の物理的形態、およびそれを使用する洗濯操作の性質によって異なる。
【０１５８】
本発明の組成物は、好ましくは、上記の様な他の界面活性剤、漂白剤、漂白剤触媒、アルカリ度系、他のビルダー、他の有機重合体状化合物、酵素、発泡抑制剤、セッケン、石灰セッケン、分散剤、汚れ分散および再付着防止剤、汚れ遊離剤、香料、ブライトナー、光漂白剤および他の腐食防止剤から選択された１個以上の追加洗剤成分を含む。
【０１５９】
非常に好ましい追加原料は、汚れ遊離重合体、特にポリエステルまたは多糖またはそれらの誘導体、カルボキシメチルセルロースを包含するセルロース系重合体、セルロースエーテルまたはエステルまたはアミンまたはアミド変性セルロース、カプセル収容された香料、好ましくは炭酸塩および酸化合物、特にクエン酸、リンゴ酸またはマレイン酸、を基剤とする泡沸性供給源、ホスホネートビルダー、染料移動防止剤、および加工助剤、例えばヒドロトロピー剤、である。これらの原料は以下により詳細に説明する。
【０１６０】
カルボキシメチルセルロース化合物を組成物の少なくとも０．５重量％、または０．７５重量％、さらには１重量％の量で包含するか、または多糖を組成物の少なくとも０．５重量％、または０．７５重量％、さらには１重量％の量で包含するのが非常に好ましい。
【０１６１】
組成物は陽イオン系柔軟性付与剤を含んでなるのが好ましい。非常に好ましい水溶性第４級アンモニウム化合物は、所望により−ＯＨ、−Ｏ−、−ＣＯＮＨ、−ＣＯＯ−の様な官能基で置換された、２個のＣ１２〜Ｃ２４アルキルまたはアルケニル鎖を有する化合物である。
【０１６２】
実質的に水に不溶な第４級アンモニウム化合物の良く知られている物質は、下記の式を有する。
【０１６３】
Ｒ１Ｒ２Ｒ３Ｒ４ＮＸ
式中、Ｒ１およびＲ２は炭素数が約１２〜約２４であるヒドロカルビル基を表し、Ｒ３およびＲ４は炭素数が約１〜約４であるヒドロカルビル基を表し、Ｘは、好ましくはハロゲン化物、メチルサルフェートおよびエチルサルフェート基から選択された陰イオンである。これらの第４級柔軟性付与剤の代表例には、ジタロウジメチルアンモニウムクロライド、ジタロウジメチルアンモニウムメチルサルフェート、ジヘキサデシルジメチルアンモニウムクロライド、ジ（水素化タロウアルキル）ジメチルアンモニウムクロライド、ジオクタデシルジメチルアンモニウムクロライド、ジエイコシルジメチルアンモニウムクロライド、ジドコシルジメチルアンモニウムクロライド、ジ（水素化タロウアルキル）ジメチルアンモニウムメチルサルフェート、ジヘキサデシルジエチルアンモニウムクロライド、ジ（ココナッツアルキル）ジメチルアンモニウムクロライドが挙げられる。ジタロウジメチルアンモニウムクロライド、ジ（水素化タロウアルキル）ジメチルアンモニウムクロライド、ジ（ココナッツアルキル）ジメチルアンモニウムメトサルフェートが好ましい。
【０１６４】
また、ここに参考として含める米国特許第４１２７４８９号明細書のイミダキソリニウム布地柔軟性付与成分もここで好適である。ここで使用する用語「布地柔軟性付与剤」は、２０℃、ｐＨ約６の水中で１０ｇ／ｌを超える溶解度を有する陽イオン系洗剤活性材料は除外する。
【０１６５】
ジタロウイルメチルアミンが特に好ましい。個の材料はAKZO NVからArmeen M2HTとして、FARBWERKE HOECHSTからGenamin SH301として、およびCECA COMPANYからNoram M2SHとして市販されている。
【０１６６】
過水和物漂白剤
成分または組成物の好ましい追加成分は、過水和物漂白剤、例えば金属過ホウ酸塩、金属過炭酸塩、特にナトリウム塩、である。過ホウ酸塩は一または四水和物でよい。過炭酸ナトリウムは、２Ｎａ２ＣＯ３．３Ｈ２Ｏ２ に対応する式を有し、結晶性固体として市販されている。
【０１６７】
ペルオキシ過硫酸ナトリウム、ナトリウムＰｅｒは、本発明の洗剤組成物に所望により使用する別の無機過水和物塩である。
【０１６８】
有機過酸漂白系
組成物または成分の好ましい態様は、有機過酸漂白系である。好ましい実施態様では、漂白系は過酸化水素供給源および有機過酸漂白剤前駆化合物を含む。有機過酸は、前駆物質と過酸化水素供給源のその場における反応により形成される。好ましい過酸化水素供給源は、無機過水和物漂白剤、例えば特許権請求する発明の過ホウ酸塩漂白剤、を包含する。別の好ましい実施態様では、予め形成された有機過酸を組成物中に直接配合する。過酸化水素供給源と有機過酸前駆物質の混合物を予め形成された有機過酸と組み合わせて含む組成物も考えられる。
【０１６９】
過酸漂白剤前駆物質
過酸漂白剤前駆物質は、過加水分解反応で過酸化水素と反応し、過酸を形成する化合物である。一般的に、過酸漂白剤前駆物質は
0004744696.tif 000017
として表され、Ｌは離脱基であり、Ｘは、過加水分解により、形成される過酸の構造が
0004744696.tif 000018
になる様な、実質的にすべての官能基である。
【０１７０】
過酸漂白剤前駆化合物は、好ましくは洗剤組成物の０．５〜２０重量％、より好ましくは１〜１５重量％、最も好ましくは１．５〜１０重量％の量で配合する。
【０１７１】
好適な過酸漂白剤前駆化合物は、典型的には１個以上のＮ−またはＯアシル基を含み、これらの前駆物質は、広い範囲の群から選択することができる。好適な種類としては、酸無水物、エステル、イミド、ラクタムおよびイミダゾールおよびオキシムのアシル化誘導体がある。これらの区分の中で有用な材料の例は、英国特許第ＧＢ−Ａ−１５８６７８９号明細書に記載されている。好適なエステルは、英国特許第ＧＢ−Ａ−８３６９８８号、第８６４７９８号、第１１４７８７１号、第２１４３２３１号およびヨーロッパ特許第ＥＰ−Ａ−０１７０３８６号の各明細書に記載されている。
【０１７２】
離脱基
離脱基（以下Ｌ基）は、最適な時間枠（例えば洗濯サイクル）の中で反応が起こる様に十分な反応性を有する必要がある。しかし、Ｌの反応性が高過ぎる場合、この活性剤は、漂白組成物に使用するために安定化させるのが困難である。
【０１７３】
好ましいＬ基は
【化１５】
0004744696.tif 000019
およびそれらの混合物からなる群から選択されるが、ここでＲ１は炭素数が１〜１４であるアルキル、アリール、またはアルカリール基であり、Ｒ３は炭素数が１〜８であるアルキル鎖であり、Ｒ４はＨまたはＲ３であり、ＹはＨまたは可溶性を付与する基である。Ｒ１、Ｒ３およびＲ４のどれも、例えばアルキル、ヒドロキシ、アルコキシ、ハロゲン、アミン、ニトロシル、アミドおよびアンモニウムまたはアルキルアンモニウム基を包含する、実質的にすべての官能基で置換することができる。
【０１７４】
好ましい可溶性を付与する基は、−ＳＯ３−Ｍ＋、−ＣＯ２−Ｍ＋、−ＳＯ４−Ｍ＋、−Ｎ＋（Ｒ３）４Ｘ−およびＯ＜--Ｎ（Ｒ３）３であり、最も好ましくは−ＳＯ３−Ｍ＋および−ＣＯ２−Ｍ＋であり、Ｒ３は１〜４個の炭素原子を含むアルキル鎖であり、Ｍは漂白剤活性剤に可溶性を付与する陽イオンであり、Ｘは漂白剤活性剤に可溶性を付与する陰イオンである。好ましくはＭはアルカリ金属、アンモニウムまたは置換されたアンモニウム陽イオンであり、ナトリウムおよびカリウムが最も好ましく、Ｘはハロゲン化物、水酸化物、メチルサルフェートまたはアセテート陰イオンである。
【０１７５】
アルキル過カルボン酸漂白剤前駆物質
アルキル過カルボン酸漂白剤前駆物質は、過加水分解により過カルボン酸を形成する。この種の好ましい前駆物質は、過加水分解により過酢酸を形成する。
【０１７６】
イミド型の好ましいアルキル過カルボン酸前駆化合物としては、アルキレン基の炭素数が１〜６であるＮ−，Ｎ，Ｎ１，Ｎ１テトラアセチル化アルキレンジアミン、特にアルキレン基が１、２および６個の炭素原子を含む化合物がある。テトラアセチルエチレンジアミン（ＴＡＥＤ）が特に好ましい。ＴＡＥＤは、本発明の凝集した粒子中には存在しない方が好ましいが、その粒子を含んでなる洗剤組成物中に存在するのが好ましい。
【０１７７】
他の好ましいアルキル過カルボン酸前駆物質には、ナトリウム３，５，５−トリ−メチルヘキサノイルオキシベンゼンスルホネート（イソ−ＮＯＢＳ）、ナトリウムノナノイルオキシベンゼンスルホネート（ＮＯＢＳ）、ナトリウムアセトキシベンゼンスルホネート（ＡＢＳ）およびペンタアセチルグルコースが挙げられる。
【０１７８】
アミド置換されたアルキル過酸漂白剤前駆物質
下記の一般式を有する化合物を含む、アミド置換されたアルキル過酸前駆化合物がここで好適である。
【０１７９】
【化１６】
0004744696.tif 000020
式中、Ｒ１は炭素数が１〜１４であるアルキル基であり、Ｒ２は炭素数が１〜１４であるアルキレン基であり、Ｒ５はＨまたは炭素数が１〜１０であるアルキル基であり、Ｌは実質的にすべての離脱基でよい。この種のアミド置換された漂白活性剤化合物はヨーロッパ特許第ＥＰ−Ａ−０１７０３８６号に記載されている。
【０１８０】
過安息香酸前駆物質
過安息香酸前駆物質は、過加水分解により過安息香酸を生じる化合物である。好適なＯ−アシル化された過安息香酸前駆化合物には、置換された、および置換されていないベンゾイルオキシベンゼンスルホネート、およびソルビトール、グルコース、およびすべての糖類をベンゾイル化剤でベンゾイル化した生成物、およびＮ−ベンゾイルスクシンイミド、テトラベンゾイルエチレンジアミンおよびＮ−ベンゾイル置換された尿素を包含するイミド型の物質が挙げられる。好適なイミダゾール型の過安息香酸前駆物質には、Ｎ−ベンゾイルイミダゾールおよびＮ−ベンゾイルベンズイミダゾールがある。他の有用なＮ−アシル基含有過安息香酸前駆物質には、Ｎ−ベンゾイルピロリドン、ジベンゾイルタウリンおよびベンゾイルピログルタミン酸が挙げられる。
【０１８１】
予め形成された有機過酸
有機過酸漂白系は、有機過酸漂白剤前駆化合物に加えて、またはその代わりに、予め形成された疎水性有機過酸を、典型的には組成物の０．０５〜２０重量％、より好ましくは１〜１０重量％の量で含むことができる。
【０１８２】
疎水性有機過酸化合物の好ましい一群は、下記の一般式を有するアミド置換した化合物である。
【０１８３】
【化１７】
0004744696.tif 000021
式中、Ｒ１は炭素数が約１〜約１４であるアリールまたはアルカリール基であり、Ｒ２は炭素数が約１〜約１４であるアルキレン、アリーレン、およびアルカリーレン基であり、Ｒ５はＨまたは炭素数が１〜１０であるアルキル、アリール、またはアルカリール基である。Ｒ１は好ましくは炭素数が約６〜１２である。Ｒ２は好ましくは炭素数が約４〜８である。Ｒ１は直鎖状の、または分岐鎖状のアルキル、置換されたアリールまたは分岐鎖、置換基、または両方を含むアルキルアリールでよく、合成供給源または例えばタロウ脂肪を包含する天然供給源から得ることができる。Ｒ２に関しても類似の構造的変形が可能である。Ｒ２はアルキル、アリールを包含することができ、該Ｒ２はハロゲン、窒素、硫黄および他の典型的な置換基または有機化合物も含むことができる。Ｒ５は好ましくはＨまたはメチルである。Ｒ１およびＲ５は炭素数が１８を超えるべきではない。この種のアミド置換された漂白活性剤はヨーロッパ特許第ＥＰ−Ａ−０１７０３８６号明細書に記載されている。この種の材料の好例には、（６−オクチルアミノ）−６−オキソ−カプロン酸 、（６−ノニルアミノ）−６−オキソ−カプロン酸 、（６−デシルアミノ）−６−オキソ−カプロン酸、モノペルオキシフタル酸マグネシウム六水和物、メタクロロ過安息香酸のマグネシウム塩、４−ノニルアミノ−４−オキソペルオキシ酪酸およびジペルオキシドデカンジオン酸が挙げられる。その様な漂白剤は、米国特許第４，４８３，７８１号、第４，６３４，５５１号、ヨーロッパ特許第０，１３３，３５４号、米国特許第４，４１２，９３４号およびヨーロッパ特許第０，１７０，３８６号の各明細書に開示されている。本発明の目的に好ましい疎水性の予め形成された過酸漂白剤化合物はモノノニルアミドペルオキシカルボン酸である。
【０１８４】
他の好適な有機過酸には、炭素数が７を超えるジペルオキシアルカンジオン酸、例えばジペルオキシドデカンジオン酸、ジペルオキシテトラデカンジオン酸およびジペルオキシヘキサデカンジオン酸、が挙げられる。
【０１８５】
他の好適な有機過には、国際特許第ＷＯ９５／０３２７５号明細書に記載されている、下記の式を有するジアミノ過酸を包含する。
【０１８６】
【化１８】
0004744696.tif 000022
式中、ＲはＣ１〜Ｃ１２アルキレン、Ｃ５〜Ｃ１２シクロアルキレン、Ｃ６〜Ｃ１２アリーレンおよびそれらの基の組合せからなる群から選択され、Ｒ１およびＲ２は独立してＨ、Ｃ１〜Ｃ１６クロアルキルおよびＣ６〜Ｃ１２アリール基およびＲ３および両方の窒素と共にＣ３〜Ｃ１２環を形成できる基からなる群から選択され、Ｒ３はＣ１〜Ｃ１２アルキレン、Ｃ５〜Ｃ１２シクロアルキレンおよびＣ６〜Ｃ１２アリーレンからなる群から選択され、ｎおよびｎ’はそれぞれ、それらの合計が１になる様に選択された整数であり、ｍおよびｍ’はそれぞれ、それらの合計が１になる様に選択された整数であり、ＭはＨ、アルカリ金属、アルカリ土類金属、アンモニウム、アルカノールアンモニウム陽イオンおよび基およびそれらの組合せからなる群から選択される。
【０１８７】
他の好適な有機過酸は、国際特許第ＷＯ９５／１６６７３号明細書に記載されている、下記の一般構造を有するアミド過酸である。
【０１８８】
Ｘ−Ａｒ−ＣＯ−ＮＹ−Ｒ（Ｚ）−ＣＯ−ＯＯＨ
式中、Ｘは水素または相容性がある置換基を表し、Ａｒはアリール基であり、Ｒは（ＣＨ２）ｎを表し、ｎ＝２または３であり、ＹおよびＺはそれぞれ独立して、水素、または相容性がある置換基で置換されたアルキルまたはアリールまたはアルカリール基またはアリール基から選択された置換基を表すが、ただし、ｎ＝３である場合、ＹおよびＺの少なくとも一方は水素ではない。ベンゼン核上の置換基Ｘは、好ましくは水素、またはハロゲン、典型的には塩素原子、または他の、放出されなかった、妨害しない基、例えばアルキル基、好ましくはＣ６までの、例えばメチル、エチル、プロピル基、を含んでなる群から選択された、メタまたはパラ置換基である。あるいは、Ｘは、下記の式を有する第二のアミド−過カルボン酸置換基を表すことができる。
【０１８９】
−ＣＯ−ＮＹ−Ｒ（Ｚ）−ＣＯ−ＯＯＨ
式中、Ｒ、Ｙ、Ｚおよびｎは上に定義した通りである。
【０１９０】
ＭＯＯＣ−Ｒ１ＣＯ−ＮＲ２−Ｒ３−ＮＲ４−ＣＯ−Ｒ５ＣＯＯＯＭ
式中、Ｒ１はＣ１〜Ｃ１２アルキレン、Ｃ５〜Ｃ１２シクロアルキレン、Ｃ６〜Ｃ１２アリーレンおよびそれらの基の組合せからなる群から選択され、Ｒ
ここで非常に好ましい物質はフタロイルアミド過酸（ＰＡＰ）である。
【０１９１】
漂白剤触媒
組成物または成分は、遷移金属含有漂白剤触媒を含むことができる。
【０１９２】
好適な種類の漂白剤触媒は、特定の漂白触媒活性を有する遷移金属陽イオン、例えば銅、鉄またはマンガンの陽イオン、漂白触媒活性がほとんど、またはまったく無い補助金属陽イオン、例えば亜鉛またはアルミニウムの陽イオン、および触媒および補助金属陽イオンに対して限定された安定度定数を有する金属イオン封鎖剤、特にエチレンジアミンテトラ酢酸、エチレンジアミンテトラ（メチレンホスホン酸酸）およびそれらの水溶性塩を含んでなる触媒系である。その様な触媒は米国特許第４，４３０，２４３号明細書に記載されている。
【０１９３】
他の種類の漂白触媒は、米国特許第５，２４６，６２１号明細書および米国特許第５，２４４，５９４号明細書に記載されているマンガン系錯体を包含する。これらの触媒の好ましい例としては、ＭｎＩＶ２（ｕ−Ｏ）３（１，４，７−トリメチル−１，４，７−トリアザシクロノナン）２−（ＰＦ６）２、ＭｎＩＩＩ２（ｕ−Ｏ）１（ｕ−ＯＡｃ）２（１，４，７−トリメチル−１，４，７−トリアザシクロノナン）２−（ＣｌＯ４）２、ＭｎＩＶ４（ｕ−Ｏ）６（１，４，７−トリアザシクロノナン）４−（ＣｌＯ４）２  、ＭｎＩＩＩＭｎＩＶ４（ｕ−Ｏ）１（ｕ−ＯＡｃ）２（１，４，７−トリメチル−１，４，７−トリアザシクロノナン）２−（ＣｌＯ４）３、およびそれらの混合物がある。他の漂白剤触媒は公開ヨーロッパ特許出願第５４９，２７２号明細書に記載されている。ここで好適な他の配位子には、１，５，９−トリメチル−１，５，９−トリアザシクロドデカン、２−メチル−１，４，７−トリアザシクロノナン、２−メチル−１，４，７−トリアザシクロノナン、１，２，４，７−テトラメチル−１，４，７−トリアザシクロノナン、およびそれらの混合物がある。
【０１９４】
ここで有用な漂白触媒も本発明に好適な成分として選択することができる。好適な漂白触媒に関しては、米国特許第４，２４６，６１２号明細書および米国特許第５，２２７，０８４号明細書参照。単核マンガン（ＩＶ）錯体、例えばＭｎ（１，４，７−トリメチル−１，４，７−トリアザシクロノナン（ＯＣＨ３）３−（ＰＦ６）、を開示している米国特許第５，１９４，４１６号明細書も参照。
【０１９５】
米国特許第５，１１４，６０６号明細書に記載されているさらに別の種類の漂白触媒は、少なくとも３個の連続したＣ−ＯＨ基を有する非カルボキシレートポリヒドロキシ化合物である配位子を含むマンガン(III)、および／または(IV)の水溶性錯体である。好ましい配位子には、ソルビトール、イジトール、ズルシトール、マンニトール、キシリトール、アラビトール、アドニトール、メソ−エリトリトール、メソ−イノシトール、ラクトース、およびそれらの混合物がある。
【０１９６】
米国特許第５，１１４，６１１号明細書は、Ｍｎ、Ｃｏ、ＦｅまたはＣｕを包含する遷移金属と非（大）環状配位子の錯体を含んでなる漂白触媒を開示している。該配位子は下記の式を有する。
【０１９７】
【化１９】
0004744696.tif 000023
式中、Ｒ１、Ｒ２、Ｒ３およびＲ４は、それぞれＲ１−Ｎ＝Ｃ−Ｒ２およびＲ３−Ｃ＝Ｎ−Ｒ４が５または６員環を形成する様に、それぞれＨ、置換されたアルキルおよびアリール基から選択することができる。ＢはＯ、Ｓ、ＣＲ５Ｒ６、ＮＲ７およびＣ＝Ｏから選択されたブリッジ基であり、ここでＲ５、Ｒ６、およびＲ７はそれぞれＨ、置換された、または置換されていない基を包含するアルキル、またはアリール基でよい。好ましい配位子には、ピリジン、ピリダジン、ピリミジン、ピラジン、イミダゾール、ピラゾール、およびトリアゾール環がある。所望により、該環はアルキル、アリール、アルコキシ、ハロゲン化物およびニトロの様な置換基で置換されていてよい。特に好ましいのは配位子２，２’−ビスピリジルアミンである。好ましい漂白剤触媒には、Ｃｏ、Ｃｕ、Ｍｎ、Ｆｅ−ビスピリジルメタンおよびビスピリジルアミン錯体が挙げられる。非常に好ましい触媒としては、Ｃｏ（２，２’−ビスピリジルアミン）Ｃｌ２、ジ（イソチオシアナート）ビスピリジルアミン−コバルト(II)、過塩素酸トリスジピリジルアミン−コバルト(II)、Ｃｏ（２，２−ビスピリジルアミン）２Ｏ２ＣｌＯ４、過塩素酸ビス（２，２’−ビスピリジルアミン）銅(II)、過塩素酸トリス（ジ−２−ピリジルアミン）鉄(II)、およびそれらの混合物がある。
【０１９８】
他の例は、Ｎ４ＭｎＩＩＩ（ｕ−Ｏ）２ＭｎＩＶＮ４）＋および［Ｂｉｐｙ２ＭｎＩＩＩ（ｕ−Ｏ）２ＭｎＩＶＢｉｐｙ２］−（ＣｌＯ４）３を包含する、四−Ｎ−座および二−Ｎ−座配位子との二核Ｍｎ錯体がある。
【０１９９】
他の漂白触媒は、例えば公開ヨーロッパ特許出願第４０８，１３１号（コバルト錯体触媒）、公開ヨーロッパ特許出願第３８４，５０３号および第３０６，０８９号（メタロ−ポルフィリン触媒）、米国特許第４，７２８，４５５号（マンガン／多座配位子触媒）、米国特許第４，７１１，７４８号および公開ヨーロッパ特許出願第２２４，９５２号（アルミノケイ酸塩触媒上に吸収されたマンガン）、米国特許第４，６０１，８４５号（アルミノケイ酸塩担体とマンガンおよび亜鉛またはマグネシウム塩）、米国特許第４，６２６，３７３号（マンガン／配位子触媒）、米国特許第４，１１９，５５７号（第二鉄錯体触媒）、独国特許第２，０５４，０１９号（コバルトキレート物質触媒）、カナダ特許第８６６，１９１号（遷移金属含有塩）、米国特許第４，４３０，２４３号（マンガン陽イオンおよび非触媒作用金属陽イオンとのキレート物質）、および米国特許第４，７２８，４５５号（グルコン酸マンガン触媒）の各明細書に記載されている。
【０２００】
漂白触媒は典型的には触媒として有効な量で本発明の組成物および方法に使用する。「触媒として有効な量」とは、どの様な比較試験条件を使用しても、目的とする基材から問題の汚れを漂白して除去するのに十分な量を意味する。試験条件は、使用する洗濯装置の種類および使用者の習慣により異なる。洗濯操作に非常に熱い湯を使用する使用者もいれば、温水または冷水を使用する使用者もいる。無論、漂白触媒の触媒性能はその様な条件により影響され、完全に処方された洗剤組成物および漂白組成物に使用する漂白触媒の量は適宜調節することができる。実際問題として、制限するものではないが、本発明の組成物および方法は、少なくとも１千万分の１部のオーダーの活性漂白触媒物質を洗濯水中に与える、好ましくは約１ｐｐｍ〜約２００ ｐｐｍの触媒物質を洗濯液中に与える様に調節することができる。この点をさらに説明するために、３マイクロモルのオーダーでマンガン触媒が、過ホウ酸塩および過酸を使用するヨーロッパの条件下では４０℃、ｐＨ１０で有効である。米国の条件下では、同じ結果を達成するのに濃度を３〜５倍増加する必要があろう。
【０２０１】
重金属イオン封鎖剤
本発明の組成物または成分は、所望により使用する成分として、好ましくは重金属イオン封鎖剤を含む。重金属イオン封鎖剤とは、重金属イオンを隔離（キレート化）する成分を意味する。これらの成分はカルシウムおよびマグネシウムをキレート化する能力を有していてもよいが、鉄、マンガンおよび銅の様な重金属イオンを結合する選択性を有するのが好ましい。
【０２０２】
重金属イオン封鎖剤は一般的に組成物の０．００５〜１０重量％、好ましくは０．１〜５重量％、より好ましくは０．２５〜７．５重量％、最も好ましくは０．３〜２重量％の量で存在する。
【０２０３】
ここで使用するのに好適な重金属イオン封鎖剤としては、有機ホスホネート、例えばアミノアルキレンポリ（アルキレンホスホネート）、アルカリ金属エタン１−ヒドロキシジホスホネート、およびニトリロトリメチレンホスホネートがある。
【０２０４】
上記の物質の中で好ましいのは、ジエチレントリアミンペンタ（メチレンホスホネート）、エチレンジアミントリ（メチレンホスホネート）、ヘキサメチレンジアミンテトラ（メチレンホスホネート）およびヒドロキシ−エチレン１，１ジホスホネート、１，１ヒドロキシエタンジホスホン酸および１，１ヒドロキシエタンジメチレンホスホン酸である。
【０２０５】
ここで使用するのに好適な他の重金属イオン封鎖剤には、ニトリロトリ酢酸およびポリアミノカルボン酸、例えばエチレンジアミノテトラ酢酸、エチレンジアミンジコハク酸、エチレンジアミンジグルタル酸、２−ヒドロキシプロピレンジアミンジコハク酸またはそれらのいずれかの塩が挙げられる。
【０２０６】
ここで使用する他の好適な重金属イオン封鎖剤は、イミノジ酢酸誘導体、例えばヨーロッパ特許第ＥＰ−Ａ−３１７，５４２号明細書および第ＥＰ−Ａ−３９９，１３３号明細書に記載されている様な２−ヒドロキシエチルジ酢酸またはグリセリルイミノジ酢酸である。ヨーロッパ特許第ＥＰ−Ａ−５１６，１０２号明細書に記載されているイミノジ酢酸−Ｎ−２−ヒドロキシプロピルスルホン酸およびアスパラギン酸Ｎ−カルボキシメチルＮ−２−ヒドロキシプロピル−３−スルホン酸金属イオン封鎖剤もここで好適である。ヨーロッパ特許第ＥＰ−Ａ−５０９，３８２号明細書に記載されているβ−アラニン−Ｎ，Ｎ’−ジ酢酸、アスパラギン酸−Ｎ，Ｎ’−ジ酢酸、アスパラギン酸−Ｎ−モノ酢酸およびイミノジ酢酸金属イオン封鎖剤も好適である。
【０２０７】
ヨーロッパ特許第ＥＰ−Ａ−４７６，２５７号明細書は好適なアミノ系金属イオン封鎖剤を記載している。ヨーロッパ特許第ＥＰ−Ａ−５１０，３３１号明細書は、コラーゲン、ケラチンまたはカゼインに由来する好適な系金属イオン封鎖剤を記載している。ヨーロッパ特許第ＥＰ−Ａ−５２８，８５９号明細書は好適なアルキルイミノジ酢酸金属イオン封鎖剤を記載している。ジピコリン酸および２−ホスホノブタン−１，２，４−トリカルボン酸も好適である。グリシンアミド−Ｎ，Ｎ’−ジコハク酸（ＧＡＤＳ）、エチレンジアミン−Ｎ−Ｎ’−ジグルタル酸（ＥＤＤＧ）および２−ヒドロキシプロピレンジアミン−Ｎ−Ｎ’−ジコハク酸（ＨＰＤＤＳ）も好適である。
【０２０８】
ジエチレントリアミンペンタ酢酸、エチレンジアミン−Ｎ，Ｎ’−ジコハク酸（ＥＤＤＳ）および１，１ヒドロキシエタンジホスホン酸またはそれらのアルカリ金属、アルカリ土類金属、アンモニウム、または置換アンモニウム塩、またはそれらの混合物が特に好ましい。
【０２０９】
酵素
本発明の成分または組成物に有用な別の非常に好ましい成分は、１種以上の追加酵素である。
【０２１０】
好ましい追加酵素材料には、従来から洗剤組成物に配合されている、市販されているリパーゼ、クチナーゼ、アミラーゼ、中性およびアルカリ性プロテアーゼ、セルラーゼ、エンドラーゼ、エステラーゼ、ペクチナーゼ、ラクターゼおよびペルオキシダーゼが挙げられる。好適な酵素は米国特許第３，５１９，５７０号明細書および第３，５３３，１３９号明細書に記載されている。
【０２１１】
好ましい市販のプロテアーゼ酵素には、Novo Industries A/S（デンマーク）からAlcalase、Savinase、Primase、Durazym、およびEsperaseの商品名で市販の酵素、Gist BrocadesからMaxatase、MaxacalおよびMaxapemの商品名で市販の酵素、Genencor Internationalから市販の酵素、およびSolvay EnzymesからOpticleanおよびOptimaseの商品名で市販されている酵素が挙げられる。プロテアーゼ酵素は、本発明の組成物に、組成物の０．０００１〜４重量％活性酵素の量で配合することができる。
【０２１２】
好ましいアミラーゼは、例えば英国特許第１，２６９，８３９号明細書(Novo)により詳細に記載されている、B licheniformisの特殊な菌株から得られるα−アミラーゼを包含する。好ましい市販のアミラーゼには、例えばGist BrocadesからRapidaseの商品名で販売されているアミラーゼ、およびNovo Industries A/SからTermamyl、DuramylおよびBANの商品名で販売されているアミラーゼが挙げられる。非常に好ましいアミラーゼ酵素は、ＰＣＴ／ＵＳ９７０３６３５号、および国際特許第ＷＯ９５／２６３９７号および第ＷＯ９６／２３８７３号の各明細書に記載されている酵素でよい。
【０２１３】
アミラーゼ酵素は、本発明の組成物中に、組成物の０．０００１〜２重量％活性酵素の量で配合することができる。
【０２１４】
脂肪分解酵素は、組成物の０．０００１〜２重量％、好ましくは０．００１〜１重量％、最も好ましくは０．００１〜０．５重量％活性脂肪分解酵素の量で存在することができる。
【０２１５】
リパーゼは、菌類または細菌に由来し、Humicola sp.、Thermomyces sp.またはPseudomonas pseudoalcaligenesまたはPseudomonas fluorescensを包含するPseudomonas sp.のリパーゼ生産菌株から得られる。これらの菌株の化学的または遺伝子的に変性した突然変異体から得られるリパーゼもここで有用である。好ましいリパーゼは、譲渡されたヨーロッパ特許第ＥＰ−Ｂ−０２１８２７２号明細書に記載されているPseudomonas pseudoalcaligenes から得られる。
【０２１６】
別の好ましいリパーゼは、ヨーロッパ特許出願第ＥＰ−Ａ−０２５８０６８号明細書に記載されている様にHumicola lanuginosaから得た遺伝子をクローニングし、この遺伝子を宿主としてAspergillus oryza中で発現させることにより得られ、Novo Industries A/S, Bagsvaerd、デンマークからLipolaseの商品名で市販されている。このリパーゼは米国特許第４，８１０，４１４号明細書、Huge-Jensen et al.、１９８９年３月７日公布、に開示されている。
【０２１７】
他の有機重合体状化合物
他の有機重合体状化合物は、本発明の組成物または成分の好ましい追加材料であり、好ましくはすべての粒子状成分の成分として存在し、粒子状成分を一つに結合する様に作用することができる。有機重合体状化合物とは、洗剤組成物における分散剤および再付着防止剤および汚れ分散剤として一般的に使用される、実質的にすべての重合体状有機化合物を意味する。
【０２１８】
有機重合体状化合物は本発明の洗剤組成物中に、典型的には組成物の０．０１〜３０重量％、好ましくは０．１〜１５重量％、最も好ましくは０．５〜１０重量％の量で配合する。
【０２１９】
有機重合体化合物の例は、ポリカルボン酸が、２個以下の炭素原子により互いに分離された少なくとも２個のカルボキシル基を含んでなる、水溶性有機単独重合体状または共重合体状ポリカルボン酸またはそれらの塩を包含する。後者の種類の重合体は、英国特許第ＧＢ−Ａ−１，５９６，７５６号に記載されている。その様な塩の例は、ＭＷｔ１０００〜５０００のポリアクリレートおよびそれらの無水マレイン酸との共重合体であり、その様な共重合体は分子量が２０，０００〜１００，０００、特に４０，０００〜８０，０００である。
【０２２０】
ヨーロッパ特許第ＥＰ−Ａ−３０５２８２号、第ＥＰ−Ａ−３０５２８３号、および第ＥＰ−Ａ−３５１６２９号の各明細書に記載されている様なアスパラギン酸に由来する化合物を包含するポリアミノ化合物がここで有用である。
【０２２１】
マレイン酸、アクリル酸、ポリアスパラギン酸およびビニルアルコールから選択されたモノマー単位を含むターポリマー、特に平均分子量５，０００〜１０，０００のターポリマーもここで好適である。
【０２２２】
本発明の洗剤組成物に配合するのに好適な他の有機重合体状化合物にはセルロース誘導体、例えばメチルセルロース、カルボキシメチルセルロース、ヒドロキシプロピルメチルセルロースおよびヒドロキシエチルセルロース、が挙げられる。
【０２２３】
他の有用な有機重合体状化合物は、ポリエチレングリコール、特に分子量が１０００〜１００００、特に２０００〜８０００、最も好ましくは約４０００のポリエチレングリコールである。
【０２２４】
ここで非常に好ましい重合体状成分は、米国特許第４，９６８，４５１号、Scheibel et al. および米国特許第５，４１５，８０７号、Gosselink et al.による、および特に米国特許出願第６０／０５１５１７号の各明細書による綿および非綿汚れ遊離重合体である。
【０２２５】
ここで使用するのに好ましい，粘土分散剤／再付着防止剤である別の有機化合物は、下記の式を有するエトキシル化陽イオン系モノアミンおよびジアミンである。
【０２２６】
【化２０】
0004744696.tif 000024
式中、Ｘは、Ｈ、Ｃ１〜Ｃ４アルキルまたはヒドロキシアルキルエステルまたはエーテル基、およびそれらの混合物からなる群から選択された非イオン系基であり、ａは０〜２０、好ましくは０〜４であり（例えばエチレン、プロピレン、ヘキサメチレン）、ｂは１または０であり、陽イオン系モノアミン（ｂ＝０）に関しては、ｎは少なくとも１６であり、典型的には２０〜３５であり、陽イオン系ジアミン（ｂ＝１）に関しては、ｎは少なくとも１２であり、典型的には約１２〜約４２である。
【０２２７】
ここで使用する他の分散剤／再付着防止剤は、ヨーロッパ特許第ＥＰ−Ｂ−０１１９６５号および米国特許第４，６５９，８０２号および米国特許第４，６６４，８４８号の各明細書に記載されている。
【０２２８】
発泡抑制系
本発明の洗剤組成物または成分は、機械洗浄組成物用に処方する場合、組成物の０．０１〜１５重量％、好ましくは０．０２〜１０重量％、最も好ましくは０．０５〜３重量％の量で存在する発泡抑制系を含んでなることができる。
【０２２９】
ここで使用するのに好適な発泡抑制系は、例えばシリコーン消泡化合物および２−アルキルアルカノール消泡化合物を包含する、実質的にすべての公知の消泡化合物を含んでなることができる。
【０２３０】
消泡化合物とは、ここでは洗剤組成物の溶液により、特にその溶液を攪拌した時に生じる発泡または泡立ちを抑制する様に作用するすべての化合物または化合物の混合物を意味する。
【０２３１】
ここで使用するのに特に好ましい消泡化合物は、ここでシリコーン成分を包含するすべての消泡化合物として定義されるシリコーン消泡化合物である。その様なシリコーン消泡化合物は、典型的にはシリカ成分も含む。本発明で、およびこの業界全体で一般的に使用する用語「シリコーン」は、様々な種類のシロキサン単位およびヒドロカルビル基を含む、分子量が比較的高い様々な重合体を包含する。好ましいシリコーン消泡化合物はシロキサン、特にトリメチルシリル末端をブロックする単位を有するポリジメチルシロキサンである。
【０２３２】
他の好適な消泡化合物は、モノカルボキシル脂肪酸とそれらの溶解性塩を包含する。これらの材料は米国特許第２，９５４，３４７号、１９６０年９月２７日にWayne St. Johnに公布、に記載されている。発泡抑制剤として使用されるモノカルボキシル脂肪酸およびそれらの塩は、典型的には炭素数が１０〜１２、好ましくは１２〜１８であるヒドロカルビル鎖を有する。好適な塩にはアルカリ金属塩、例えばナトリウム、カリウム、およびリチウム塩、およびアンモニウムおよびアルカノールアンモニウム塩が挙げられる。
【０２３３】
他の好適な消泡化合物には、例えば高分子量脂肪エステル（例えば脂肪酸トリグリセリド）、１価アルコールの脂肪酸エステル、脂肪族Ｃ１８〜Ｃ４０ケトン（例えばステアロン）、Ｎ−アルキル化アミノトリアジン、例えば塩化シアヌルと２または３モルの、炭素数が１〜２４である第１級または第２級アミンの反応生成物として形成されるトリ−〜ヘキサ−アルキルメラミンまたはジ−〜テトラ−アルキルジアミンクロロトリアジン、プロピレンオキシド、ビスステアリン酸アミドおよびモノステアリル二アルカリ金属（例えばナトリウム、カリウム、リチウム）リン酸塩およびリン酸エステルが挙げられる。
【０２３４】
好ましい発泡抑制系は、
（ａ）消泡化合物、好ましくはシリコーン消泡化合物、最も好ましくは
(i) シリコーン消泡化合物の５０〜９９重量％、好ましくは７５〜９５重量％の量のポリジメチルシロキサン、および
(ii)シリコーン／シリカ消泡化合物の１〜５０重量％、好ましくは５〜２５重量％の量のシリカ
の組合せを含んでなるシリコーン消泡化合物（該シリカ／シリコーン消泡化合物は５〜５０重量％、好ましくは１０〜４０重量％の量で配合される）、
（ｂ）０．５〜１０重量％、好ましくは１〜１０重量％の量の分散剤化合物、最も好ましくはポリオキシアルキレン含有量が７２〜７８％であり、エチレンオキシドとプロピレンオキシドの比が１：０．９〜１：１．１であるシリコーングリコールrake共重合体（この種の特に好ましいシリコーングリコールrake共重合体はDOW Corning からDCO544の商品名で市販されている）、
（ｃ）５〜８０重量％、好ましくは１０〜７０重量％の量の、不活性キャリヤー流体化合物（最も好ましくはエトキシル化度が５〜５０、好ましくは８〜１５であるＣ１６〜Ｃ１８エトキシル化アルコールを含んでなる）
を含んでなる。
【０２３５】
非常に好ましい粒子状発泡抑制系は、ヨーロッパ特許第ＥＰ−Ａ−０２１０７３１号に記載されており、シリコーン消泡化合物および融点が５０℃〜８０℃の有機キャリヤー材料を含んでなり、有機キャリヤー材料がグリセロールのモノエステルおよび炭素数が１２〜２０である炭素鎖を有する脂肪酸を含んでなる。ヨーロッパ特許第ＥＰ−Ａ−０２１０７２１号は別の好ましい粒子状発泡抑制系を開示しているが、そこでは有機キャリヤー材料が、炭素数１２〜２０の炭素鎖を有する脂肪酸またはアルコール、またはそれらの混合物であり、融点が４５℃〜８０℃である。
【０２３６】
他の非常に好ましい発泡抑制系は、ポリジメチルシロキサンまたはシリコーンの混合物、例えばポリジメチルシロキサン、アルミノケイ酸塩およびポリカルボン酸重合体、例えばlaicおよびアクリル酸の共重合体、を含んでなる。
【０２３７】
セッケンの存在も非常に好ましい。
【０２３８】
重合体状染料移動防止剤
本成分および／または組成物は、０．０１〜１０重量％、好ましくは０．０５〜０．５重量％の重合体状染料移動防止剤も含むことができる。
【０２３９】
重合体状染料移動防止剤は、好ましくはポリアミンＮ−オキシド重合体、Ｎ−ビニルピロリドンとＮ−ビニルイミダゾールの共重合体、ポリビニルピロリドン重合体またはそれらの組合せから選択するが、その際、これらの重合体は架橋された重合体でもよい。
【０２４０】
光学ブライトナー
本発明の成分または組成物は、上記の様に、好ましくは約０．０５〜５重量％、より好ましくは０．０７〜３重量％、さらには０．１〜２．５重量％、または組成物の約０．０５〜５重量％、より好ましくは０．１〜３重量％、さらには０．１２〜２．５重量％の、ある種の親水性光学ブライトナーを含む。
【０２４１】
本発明で有用な親水性光学ブライトナーは、下記の構造式を有する物質を包含する。
【０２４２】
【化２１】
0004744696.tif 000025
式中、Ｒ１はアニリノ、Ｎ−２−ビス−ヒドロキシエチルおよびＮＨ−２−ヒドロキシエチルから選択され、Ｒ２はＮ−２−ビス−ヒドロキシエチル、Ｎ−２−ヒドロキシエチル−Ｎ−メチルアミノ、モルフィリノ、クロロおよびアミノから選択され、Ｍは塩形成陽イオン、例えばナトリウムまたはカリウム、である。
【０２４３】
上記の式中、Ｒ１がアニリノであり、Ｒ２がＮ−２−ビス−ヒドロキシエチルであり、Ｍが陽イオン、例えばナトリウム、である場合、そのブライトナーは、４，４’−ビス［（４−アニリノ−６−（Ｎ−２−ビス−ヒドロキシエチル）−ｓ−トリアジン−２−イル）アミノ］−２，２’−スチルベンジスルホン酸および二ナトリウム塩である。この特別なブライトナーは、Ciba-Geigy CorporationからTinopal-UNPA-GXの商品名で市販されている。Tinopal-CBS-XおよびTinopal-UNPA-GXは、本発明の洗剤組成物に有用な、好ましい親水性光学ブライトナーである。
【０２４４】
上記の式中、Ｒ１がアニリノであり、Ｒ２がＮ−２−ヒドロキシエチル−Ｎ−２−メチルアミノであり、Ｍが陽イオン、例えばナトリウム、である場合、そのブライトナーは、４，４’−ビス［（４−アニリノ−６−（Ｎ−２−ヒドロキシエチル−Ｎ−メチルアミノ）−ｓ−トリアジン−２−イル）アミノ］−２，２’−スチルベンジスルホン酸の二ナトリウム塩である。この特別なブライトナーは、Ciba-Geigy CorporationからTinopal 5BM-GXの商品名で市販されている。
【０２４５】
上記の式中、Ｒ１がアニリノであり、Ｒ２がモルフィリノであり、Ｍが陽イオン、例えばナトリウム、である場合、そのブライトナーは、４，４’−ビス［（４−アニリノ−６−モルフィリノ−ｓ−トリアジン−２−イル）アミノ］−２，２’−スチルベンジスルホン酸、ナトリウム塩である。この特別なブライトナーは、Ciba-Geigy CorporationからTinopal DMS-XおよびTinopal AMS-GXの商品名で市販されている。
【０２４６】
重合体状汚れ遊離剤
本成分または組成物には、所望により重合体状汚れ遊離剤（以下「ＳＲＡ」と呼ぶ）を使用することができる。使用する場合、ＳＲＡは、一般的に組成物の０．０１〜１０．０重量％、典型的には０．１〜５重量％、好ましくは０．２〜３．０重量％を占める。
【０２４７】
好ましいＳＲＡは、典型的には、ポリエステルやナイロンの様な疎水性繊維の表面に親水性を付与するための親水性部分、および疎水性繊維上に付着し、洗浄および濯ぎサイクルを通じてそこに付着し、親水性部分のためのアンカーとして機能する疎水性部分を一般的に有する。これによって、ＳＲＡで処理した後に生じた汚れは、後の洗濯工程でより容易に洗浄される。
【０２４８】
好ましいＳＲＡは、典型的には少なくとも一つのエステル交換反応／オリゴマー化が関与する製法（金属触媒、例えばチタン(IV)アルコキシド、を使用することが多い）により製造されたオリゴマー状テレフタル酸エステルを包含する。その様なエステルは、１、２、３、４またはそれ以上の位置を通してエステル構造中に取り入れることができる追加のモノマーを使用し、無論、密に架橋した全体構造を形成せずに、製造することができる。
【０２４９】
好適なＳＲＡは、例えば米国特許第４，９６８，４５１号明細書、１９９０年１１月６日、J.J. Scheibel およびE.P. Gosselinkに公布、に記載されている様な、テレフタロイルおよびオキシアルキレンオキシ反復単位のオリゴマー状エステル骨格、およびその骨格に共有的に付加した、アリルに由来するスルホン化末端部分を含んでなる、実質的に線状のエステルオリゴマーのスルホン化生成物を包含する。その様なエステルオリゴマーは、（ａ）アリルアルコールをエトキシル化し、（ｂ）（ａ）の生成物をテレフタル酸ジメチル（「ＤＭＴ」）および１，２−プロピレングリコール（「ＰＧ」）と２段階エステル交換反応／オリゴマー化工程で反応させ、（ｃ）（ｂ）の生成物を水中でメタ重亜硫酸ナトリウムと反応させることにより、製造することができる。他のＳＲＡは、米国特許第４，７１１，７３０号、１９８７年１２月８日、Gosselink et al.、の非イオン系末端キャップした１，２−プロピレン／ポリオキシエチレンテレフタレートポリエステル、例えばポリ（エチレングリコール）メチルエーテル、ＤＭＴ、ＰＧおよびポリ（エチレングリコール）（「ＰＥＧ」）のエステル交換反応／オリゴマー化により製造された材料を包含する。ＳＲＡの他の例には、米国特許第４，７２１，５８０号、１９８８年１月２６日、Gosselink、の部分的および完全に陰イオン系の末端キャップしたオリゴマー状エステル、例えばエチレングリコール（「ＥＧ」）、ＰＧ、ＤＭＴおよびＮａ−３，６−ジオキサ−８−ヒドロキシオクタンスルホネートから得られるオリゴマー、米国特許第４，７０２，８５７号明細書、１９８７年１０月２７日、Gosselink、の非イオン系キャップしたブロックポリエステルオリゴマー状化合物、例えばＤＭＴ、メチル（Ｍｅ）キャップしたＰＥＧおよびＥＧおよび／またはＰＧ、またはＤＭＴ、ＥＧおよび／またはＰＧ、ＭｅキャップしたＰＥＧとＮａ−ジメチル−５−スルホイソフタル酸塩の組合せから製造された材料、および米国特許第４，８７７，８９６号明細書、１９８９年１０月３１日、Maldonado、Gosselink et al.、の陰イオン系、特にスルホアロイル末端キャップしたテレフタル酸エステル、があり、後者は、洗濯製品および布地調整製品の両方に有用なＳＲＡの典型的な材料であり、例としてはｍ−スルホ安息香酸一ナトリウム塩、ＰＧおよびＤＭＴから製造されたエステル組成物であるが、所望により、ただし好ましくは、添加したＰＥＧ、例えばＰＥＧ３４００、をさらに含んでなる。
【０２５０】
ＳＲＡには、エチレンテレフタレートまたはプロピレンテレフタレートとポリエチレンオキシドまたはポリプロピレンオキシドテレフタレートの簡単な共重合体状ブロック（米国特許第３，９５９，２３０号明細書、Hays、１９７６年５月２５日、および米国特許第３，８９３，９２９号明細書、Basadur、１９７５年７月８日、参照）、セルロース系誘導体、例えばDowからMETHOCELとして市販のヒドロキシエーテルセルロース系重合体、Ｃ１〜Ｃ４アルキルセルロースおよびＣ４ヒドロキシアルキルセルロース（米国特許第４，０００，０９３明細書号、１９７６年１２月２８日、Nicol, et al.参照）、およびアンヒドログルコース単位あたりの平均置換（メチル）度が約１．６〜約２．３であり、２％水溶液として２０℃で測定した溶液粘度が約８０〜約１２０センチポアズであるメチルセルロースエーテルも挙げられる。その様な材料は、信越化学工業株式会社により製造されているメチルセルロースエーテルの商品名であるMETOLOSE SM100およびMETOLOSE SM200として入手できる。
【０２５１】
別の群のＳＲＡは、(I)ジイソシアネートカップリング剤を使用して重合体状エステル構造を結合する非イオン系テレフタレート（米国特許第４，２０１，８２４号明細書、Violland et al.および米国特許第４，２４０，９１８号明細書、Lagasse et al.参照）、および(II)無水トリメリト酸を既知のＳＲＡに付加し、末端水酸基をトリメリト酸エステルに転化して製造した、カルボン酸エステル末端基を含むＳＲＡを包含する。適切な触媒を選択することにより、無水トリメリト酸は、酸無水物結合を開くのではなく、無水トリメリト酸の孤立したカルボン酸のエステルを通して重合体の末端に結合を形成する。エステル化し得るヒドロキシル末端基を有している限り、非イオン系または陰イオン系ＳＲＡのどちらでも、出発物質として使用できる。米国特許第４，５２５，５２４号明細書、Tung et al.参照。他の種類は、(III) 様々なウレタン結合を有する陰イオン系テレフタレートを基剤とするＳＲＡ（米国特許第４，２０１，８２４号明細書、Violland et al.参照）を包含する。
【０２５２】
他の所望により使用する成分
本発明の組成物または成分に配合するのに好適な、他の所望により使用する成分は香料、着色剤および硫酸塩充填材の代わりとして他の充填材塩を包含する。
【０２５３】
また、好ましくは炭酸塩と組み合わせて、少量（例えば、約２０重量％未満）の、中和剤、緩衝剤、相調整剤、ヒドロトロピー剤、酵素安定剤、ポリ酸、発泡調整剤、乳白剤、酸化防止剤、殺菌剤、光−漂白剤、スペックル、染料、例えば米国特許第４，２８５，８４１号明細書、Barrat et al.、１９８１年８月２５日公布（ここに参考として含める）に記載されている材料、が存在し得る。
【０２５４】
組成物の形態
本発明の組成物は、洗剤成分に含まれる様々な化合物の乾燥混合、凝集、圧縮、または噴霧乾燥、およびこれらの技術の組合せを含む様々な方法で製造することができる。
【０２５５】
本発明の組成物は、液体、ただし好ましくは固体形態、例えば錠剤、フレーク、パステルおよびバー、を包含する様々な物理的形態を取ることができ、顆粒状形態が好ましい。
【０２５６】
本発明の組成物は、漂白剤添加剤組成物、例えば塩素漂白剤を含んでなる組成物中に、またはそれらの組成物との組合せで使用することもできる。
【０２５７】
本洗剤組成物、特に洗濯洗剤は、好ましくはかさ密度が２８０g/リットル〜２００g/リットル、好ましくは３００g/リットルまたは３５０g/リットルまたは４２０g/リットル〜２０００g/リットルまで、またはより好ましくは１５００g/リットルまで、または１００g/リットルまたは７００g/リットルまでである。
【０２５８】
塩素系漂白剤
洗剤組成物は、追加成分として、塩素系漂白剤を包含することができる。しかし、本発明の好ましい洗剤組成物は固体であるので、ほとんどの液体塩素系漂白はこれらの洗剤組成物には不適であり、顆粒状または粉末状の塩素系漂白剤だけが好適である。
【０２５９】
あるいは、洗剤組成物は、塩素系漂白剤との相容性を有し、使用者が洗濯の開始時または最中に塩素系漂白剤を洗剤組成物に加えられる様に処方することもできる。
【０２６０】
塩素系漂白剤は、水溶液中で次亜塩素酸塩が形成される様な材料である。次亜塩素酸塩イオンは、式ＯＣＴにより化学的に表される。
【０２６１】
水溶液中で次亜塩素酸塩を形成する漂白剤には、アルカリ金属またはアルカリ土類金属の次亜塩素酸塩、次亜塩素酸塩付加生成物、クロラミン、クロリミン、クロラミド、およびクロリミドが挙げられる。この種の化合物の具体例には、次亜塩素酸ナトリウム、次亜塩素酸カリウム、次亜塩素酸一塩基カルシウム、次亜塩素酸二塩基マグネシウム、塩素化リン酸三ナトリウム十二水和物、ジクロロイソシアヌル酸カリウム、ジクロロイソシアヌル酸ナトリウム、ジクロロイソシアヌル酸ナトリウム二水和物、トリクロロシアヌル酸、１，３−ジクロロ−５，５−ジメチルヒダントイン、Ｎ−クロロスルファミド、Chloramine T、Dichloramine T、chloramine BおよびDichloramine Bが挙げられる。本発明の組成物に好ましい漂白剤は、次亜塩素酸ナトリウム、次亜塩素酸カリウム、またはそれらの混合物である。好ましい塩素系漂白剤はTriclosan（商品名）である。
【０２６２】
上記の次亜塩素酸塩を形成する漂白剤のほとんどは、固体または濃縮された形態で入手でき、本発明の組成物を製造する際に水に溶解する。上記の材料の中には、水溶液として市販されているものもある。
【０２６３】
洗濯方法
機械による洗濯方法は、典型的には、洗濯機中で、有効量の本発明の機械洗濯洗剤組成物を溶解させた、または供給した洗浄水溶液で、汚れた洗濯物を処理することを含んでなる。有効量の洗剤組成物とは、通常の機械洗濯方法で一般的に使用する代表的な製品使用量および洗濯溶液体積である、体積５〜６５リットルの洗浄溶液に溶解または分散させた１０ｇ〜３００ｇの製品を意味する。
【０２６４】
本発明の組成物は、従来の洗濯機および低水量洗濯機の両方で有用である。
【０２６５】
好ましい使用態様では、組成物手作業洗濯。別の好ましい使用態様では、洗剤組成物は、汚れた、染みの付いた布地を前処理または浸漬するのに使用する前処理または浸漬組成物である。
【０２６６】
例で使用する略号
洗剤組成物中で、略記された成分は、下記の意味を有する。
ＬＡＳ：ナトリウム線状Ｃ１１−１３アルキルベンゼンスルホネート
ＴＡＳ：ナトリウムタロウアルキルサルフェート
ＣｘｙＡＳ：ナトリウムＣ１ｘ〜Ｃ１ｙアルキルサルフェート
Ｃ４６ＳＡＳ：ナトリウムＣ１４〜Ｃ１６第２級（２，３）アルキルサルフェート
ＣｘｙＥｚＳ：エチレンオキシドｚモルと縮合したナトリウムＣ１ｘ〜Ｃ１ｙアルキルサルフェート
ＣｘｙＥｚ：平均ｚモルのエチレンオキシドと縮合したＣ１ｘ〜Ｃ１ｙの主として線状の第１級アルコール
ＱＡＳ：Ｒ２.Ｎ＋（ＣＨ３）２（Ｃ２Ｈ４ＯＨ）、Ｒ２＝Ｃ１２〜Ｃ１４
ＱＡＳ１：Ｒ２.Ｎ＋（ＣＨ３）２（Ｃ２Ｈ４ＯＨ）、Ｒ２＝Ｃ８〜Ｃ１１
ＳＡＤＳ：式２−（Ｒ）．Ｃ４Ｈ７.−１，４−（ＳＯ４-）２のナトリウムＣ１４〜Ｃ２２アルキルジサルフェート（式中、Ｒ＝Ｃ１０〜Ｃ１８）
ＳＡＤＥ２Ｓ：ｚモルのエチレンオキシドと縮合した、式２−（Ｒ）．Ｃ４Ｈ７−１，４−（ＳＯ４-）２のナトリウムＣ１４〜Ｃ２２アルキルジサルフェート（式中、Ｒ＝Ｃ１０〜Ｃ１８）
ＭＥＳ：Ｃ１８脂肪酸のｘ−スルホメチルエステル
ＡＰＡ：Ｃ８〜Ｃ１０アミドプロピルジメチルアミン
セッケン：タロウおよびココナッツ脂肪酸の８０／２０混合物に由来するナトリウム直線状アルキルカルボキシレート
ＳＴＳ：ナトリウムトルエンスルホネート
ＣＦＡＡ：Ｃ１２〜Ｃ１４（ココ）アルキルＮ−メチルグルカミド
ＴＦＡＡ：Ｃ１６〜Ｃ１８アルキルＮ−メチルグルカミド
ＴＰＫＦＡ：Ｃ１６〜Ｃ１８topped whole cut脂肪酸
ＳＴＰＰ：無水トリポリリン酸ナトリウム
ＴＳＰＰ：ピロリン酸四ナトリウム
ゼオライトＡ：式Ｎａ１２（ＡｌＯ２ＳｉＯ２）１２．27Ｈ２  Ｏの水和アルミノケイ酸ナトリウム、一次粒子径０．１〜１０マイクロメートル（重量は無水物に対して
表示）
ＮａＳＫＳ−６：式δ−Ｎａ２Ｓｉ２Ｏ５の結晶性層状ケイ酸塩
クエン酸：無水クエン酸
ホウ酸塩：ホウ酸ナトリウム
炭酸塩：無水炭酸ナトリウム、粒子径２００μm〜９００μm
重炭酸塩：無水重炭酸ナトリウム、粒子径分布４００μm〜１２００μm
ケイ酸塩：無定形ケイ酸ナトリウム（ＳｉＯ２：Ｎａ２Ｏ＝２．０：１）
硫酸塩：無水硫酸ナトリウム
硫酸Ｍｇ：無水硫酸マグネシウム
クエン酸塩：クエン酸三ナトリウム二水和物、活性８６．４％、粒子径分布４２５μm〜８５０μm
ＭＡ／ＡＡ：マレイン酸／アクリル酸１：４の共重合体、平均分子量約７０，０００
ＭＡ／ＡＡ（１）：マレイン酸／アクリル酸４：６の共重合体、平均分子量約１０，０００
ＡＡ：ナトリウムポリアクリレート重合体、平均分子量４，５００
ＣＭＣ：ナトリウムカルボキシメチルセルロース
セルロースエーテル：メチルセルロースエーテル、重合度６５０、信越化学製
プロテアーゼ：タンパク質分解酵素、活性酵素３．３重量％、Savinaseの商品名でNOVO Industries A/S から販売
プロテアーゼＩ：タンパク質分解酵素、活性酵素４重量％、国際特許第ＷＯ９５／１０５９１号明細書に記載、Genencor Int. Inc.から販売
Alcalase：タンパク分解酵素、活性酵素５．３重量％、NOVO Industries A/S から販売
セルラーゼ：セルロース分解酵素、活性酵素０．２３重量％、NOVO Industries A/S からCarezymeの商品名で販売
アミラーゼ：デンプン分解酵素、活性酵素１．６重量％、NOVO Industries A/S からTermamyl 120T の商品名で販売
アミラーゼII：デンプン分解酵素、ＰＣＴ／ＵＳ９７０３６３５号明細書に記載リパーゼ：脂肪分解酵素、活性酵素２．０重量％、NOVO Industries A/S からLipolaseの商品名で販売
リパーゼII：脂肪分解酵素、活性酵素２．０重量％、NOVO Industries A/S からLipolase Ultraの商品名で販売
Endolase：エンドグルカナーゼ酵素、活性酵素１．５重量％、NOVO Industries A/S から販売
ＰＢ４：公称式ＮａＢＯ２．３Ｈ２Ｏ．Ｈ２Ｏ２の過ホウ酸ナトリウム四水和物ＰＢ１：公称式ＮａＢＯ２．Ｈ２Ｏ２の無水過ホウ酸ナトリウム漂白剤
過炭酸塩：公称式２Ｎａ２ＣＯ３．３Ｈ２Ｏ２の過炭酸ナトリウム
ＤＯＢＳ：ナトリウム塩の形態のデカノイルオキシベンゼンスルホネート
ＤＰＤＡ：ジペルオキシドデカンジオン酸
ＮＯＢＳ：ナトリウム塩の形態のノナノイルオキシベンゼンスルホネート
ＮＡＣＡ−ＯＢＳ：（６−ノナミドカプロイル）オキシベンゼンスルホネート
ＬＯＢＳ：ナトリウム塩の形態のドデカノイルオキシベンゼンスルホネート
ＤＯＢＳ：ナトリウム塩の形態のデカノイルオキシベンゼンスルホネート
ＤＯＢＡ：デカノイルオキシ安息香酸
ＴＡＥＤ：テトラアセチルエチレンジアミン
ＤＴＰＡ：ジエチレントリアミンペンタ酢酸
ＤＴＰＭＰ：ジエチレントリアミンペンタ（メチレンホスホン酸塩）、MonsantoからDequest 2060の商品名で販売
ＥＤＤＳ：エチレンジアミン−Ｎ，Ｎ−ジコハク酸、（Ｓ，Ｓ）異性体、そのナトリウム塩形態
光活性化漂白剤（１）：デキストリン可溶重合体中にカプセル収容したスルホン化亜鉛フタロシアニン
光活性化漂白剤（２）：デキストリン可溶重合体中にカプセル収容したスルホン化アルミノ亜鉛フタロシアニン
ブライトナー１：二ナトリウム４，４’−ビス（２−スルホスチリル）ビフェニル
ブライトナー２：二ナトリウム４，４’−ビス（４−アニリノ−６−モルホリノ−１，３，５−トリアジン−２−イル）アミノ）スチルベン−２：２’−ジスルホネート
ＨＥＤＰ：１，１−ヒドロキシエタンジホスホン酸
ＰＥＧｘ：ポリエチレングリコール、分子量ｘ（典型的には４，０００）
ＰＥＯ：ポリエチレンオキシド、平均分子量５０，０００
ＴＥＰＡＥ：テトラエチレンペンタアミンエトキシレート
ＰＶＩ：ポリビニルイミダゾール、平均分子量２０，０００
ＰＶＰ：ポリビニルピロリドン重合体、平均分子量６０，０００
ＰＶＮＯ：ポリビニルピリジンＮ−オキシド重合体、平均分子量５０，０００
ＰＶＰＶＩ：ポリビニルピロリドンとビニルイミダゾールの共重合体、平均分子量２０，０００
ＱＥＡ：ビス((Ｃ２Ｈ５Ｏ)(Ｃ２Ｈ４Ｏ)ｎ)(ＣＨ３)-Ｎ＋-Ｃ６Ｈ１２-Ｎ＋-(ＣＨ３)ビス((Ｃ２Ｈ５Ｏ)-(Ｃ２Ｈ４Ｏ))ｎ、ｎ＝２０〜３０
ＰＥＩ：ポリエチレンイミン、平均分子量１８００、平均エトキシル化度が窒素１個あたり７エチレンオキシ残基
クレーＩ：ベントナイトクレー
クレーII：スメクタイトクレー
凝集剤Ｉ：ポリエチレンオキシド、平均分子量２０，０００〜４００，０００
凝集剤II：ポリエチレンオキシド、平均分子量４００，０００〜１，０００，０００
凝集剤III：アクリルアミドおよび／またはアクリル酸の重合体、平均分子量２０，０００〜４００，０００
ＳＲＰＩ：陰イオン的に末端キャップしたポリエステル汚れ遊離重合体
ＳＲＰII：多糖汚れ遊離重合体
ＳＲＰ１：陰イオン的に末端キャップしたポリエステル
ＳＲＰ２：ジエトキシル化ポリ（１，２プロピレンテレフタレート）短ブロック重合体
シリコーン消泡剤：分散剤としてシロキサン−オキシアルキレン共重合体を含むポリジメチルシロキサン気泡調整剤、該気泡調整剤と該分散剤の比１０：１〜１００：１
乳白剤：水性モノスチレンラテックス混合物、BASF株式会社からLytron 621の商品名で販売
ワックス：パラフィンワックス
スペックル：着色炭酸塩または有機カルボン酸
【０２６７】
本発明の成分を以下に示す（成分の重量％）。
【表１】
0004744696.tif 000026
0004744696.tif 000027
下記の例では、量はすべて組成物の重量％として示す。
【０２６８】
例１
下記の、錠剤、バーまたは顆粒状処方物の形態にある洗剤組成物は本発明に従う。
0004744696.tif 000028
【０２６９】
例２
下記の、錠剤、バーまたは顆粒状処方物の形態にある洗剤組成物は本発明に従う。
0004744696.tif 000029
0004744696.tif 000030
【０２７０】
例３
下記の、錠剤、バーまたは顆粒状処方物の形態にある洗剤組成物は本発明に従う。
0004744696.tif 000031
【０２７１】
例６
下記の、錠剤、バーまたは顆粒状処方物の形態にある洗剤組成物は本発明に従う。
0004744696.tif 000032
0004744696.tif 000033